(57)【要約】【課題】太陽電池装置における発電量を高める。【解決手段】太陽電池装置は、第１方向に沿った長手方向を有する基部とブラインド部と太陽電池部とを備える。ブラインド部は、複数のスラットと第１吊下部とを有する。複数のスラットは、第１方向に沿った長手方向をそれぞれ有しかつ第１方向に垂直な第２方向に並んでいるか、または第２方向に沿った長手方向をそれぞれ有しかつ第１方向に並んでいる。第１吊下部は、複数のスラットを基部から第２方向に吊り下げ、各スラットを長手方向に沿った回転軸を中心に回転可能に保持している。太陽電池部は、両面発電型の太陽電池モジュールと第２吊り下げ部とを有する。太陽電池モジュールは、ブラインド部から離れた状態で位置し、第１受光面および第２受光面を含む。第２吊下部は、太陽電池モジュールを基部から第２方向に吊り下げた状態で位置する。各スラットは、第２受光面に向けて光を反射可能な反射部を有する。【選択図】図１
2020133322.tif 000002
【特許請求の範囲】
【請求項１】
第１方向に沿った長手方向を有する基部と、
ブラインド部と、
太陽電池部と、を備え、
前記ブラインド部は、前記第１方向に沿った長手方向をそれぞれ有するとともに前記第１方向に垂直な第２方向に並んでいるか、または前記第２方向に沿った長手方向をそれぞれ有するとともに前記第１方向に並んでいる状態で位置する複数のスラットと、該複数のスラットを前記基部から前記第２方向に吊り下げるように位置するとともに前記複数のスラットをそれぞれの長手方向に沿った仮想的な第１回転軸を中心として回転可能に保持している状態で位置するスラット回転用保持部を含む第１吊り下げ部と、を有し、
前記太陽電池部は、前記第１方向および前記第２方向の双方に垂直な第３方向において前記ブラインド部から離れている状態で位置しており、第１受光面と該第１受光面の逆側において前記複数のスラットに対向している状態で位置する第２受光面とを含む両面発電型の１つ以上の太陽電池モジュールと、該１つ以上の太陽電池モジュールを前記基部から前記第２方向に吊り下げるように位置する第２吊り下げ部と、を有し、
前記複数のスラットのそれぞれは、前記第２受光面に向けて前記１つ以上の太陽電池モジュールで光電変換可能な光を反射することが可能な反射部を有する、太陽電池装置。
【請求項２】
請求項１に記載の太陽電池装置であって、
前記複数のスラットは、前記第１方向に沿った長手方向をそれぞれ有するとともに前記第２方向に並んでいる状態で位置している、太陽電池装置。
【請求項３】
請求項２に記載の太陽電池装置であって、
前記１つ以上の太陽電池モジュールは、前記第２方向において相互に離れた状態で並んでいる、複数の太陽電池モジュールを含み、
前記第１受光面および前記第２受光面のそれぞれが、前記第１方向に沿った長手方向を有する矩形状の形状を有する、太陽電池装置。
【請求項４】
請求項１に記載の太陽電池装置であって、
前記複数のスラットは、前記第２方向に沿った長手方向をそれぞれ有するとともに前記第１方向に並んでいる状態で位置している、太陽電池装置。
【請求項５】
請求項４に記載の太陽電池装置であって、
前記１つ以上の太陽電池モジュールは、前記第１方向において相互に離れた状態で並んでいる、複数の太陽電池モジュールを含み、
前記第１受光面および前記第２受光面のそれぞれは、前記第２方向に沿った長手方向を有する矩形状の形状を有する、太陽電池装置。
【請求項６】
請求項１から請求項５の何れか１つの請求項に記載の太陽電池装置であって、
前記第２吊り下げ部は、前記１つ以上の太陽電池モジュールを前記基部に近づける方向に移動させる動作と前記１つ以上の太陽電池モジュールを前記基部から遠ざける方向に移動させる動作とを実行させることが可能なモジュール昇降用吊り下げ部、を含む、太陽電池装置。
【請求項７】
請求項６に記載の太陽電池装置であって、
前記１つ以上の太陽電池モジュールは、前記第２方向に並んでいる状態で位置している第１太陽電池モジュールおよび第２太陽電池モジュールを含み、
前記モジュール昇降用吊り下げ部は、前記第１太陽電池モジュールを前記基部に近づける方向に移動させる動作と前記第１太陽電池モジュールを前記基部から遠ざける方向に移動させる動作とを実行させることが可能な第１モジュール昇降用吊り下げ部分と、前記第２太陽電池モジュールを前記基部に近づける方向に移動させる動作と前記第２太陽電池モジュールを前記基部から遠ざける方向に移動させる動作とを実行させることが可能な第２モジュール昇降用吊り下げ部分と、を含む、太陽電池装置。
【請求項８】
請求項１から請求項７の何れか１つの請求項に記載の太陽電池装置であって、
該太陽電池装置を取り付け対象部に取り付ける取付部、をさらに備え、
該取付部は、前記第３方向および前記第３方向とは逆の第４方向に前記基部を移動可能に保持している状態で位置している、太陽電池装置。
【請求項９】
請求項１から請求項８の何れか１つの請求項に記載の太陽電池装置であって、
前記第２吊り下げ部は、前記１つ以上の太陽電池モジュールのそれぞれを前記第１方向に沿った仮想的な第２回転軸を中心として回転可能となるように吊り下げている状態で位置するモジュール回転用吊り下げ部、を含む、太陽電池装置。
【請求項１０】
請求項１から請求項９の何れか１つの請求項に記載の太陽電池装置であって、
前記基部は、前記スラット回転用保持部によって前記複数のスラットのそれぞれを、前記第１回転軸を中心として回転させる駆動部と、該駆動部によって前記スラット回転用保持部を介して前記複数のスラットのそれぞれを、前記第１回転軸を中心として回転させる制御部と、を有する、太陽電池装置。
【請求項１１】
請求項９に記載の太陽電池装置であって、
前記基部は、前記モジュール回転用吊り下げ部によって前記１つ以上の太陽電池モジュールのそれぞれを、前記第２回転軸を中心として回転させる駆動部と、該駆動部によって前記モジュール回転用吊り下げ部を介して前記１つ以上の太陽電池モジュールのそれぞれを、前記第２回転軸を中心として回転させる制御部と、を有する、太陽電池装置。
【請求項１２】
請求項１から請求項１１の何れか１つの請求項に記載の太陽電池装置と、
屋外空間と屋内空間とを仕切っている状態で位置する板状またはシート状の第１透明部材を含む第１仕切り部と、
該第１仕切り部の前記屋内空間側において、前記第１仕切り部との間に間隙を挟んでいる状態で位置するとともに、前記屋内空間と前記間隙とを仕切っている状態で位置する板状またはシート状の第２透明部材を含む第２仕切り部と、を備え、
前記ブラインド部および前記太陽電池部は、前記間隙内に位置する、太陽電池システム。
【請求項１３】
請求項１２に記載の太陽電池システムであって、
前記第２透明部材は、基材と、該基材に対して積層された状態で位置する前記基材よりも光の反射率が高い反射層と、を含む、太陽電池システム。
【発明の詳細な説明】
【技術分野】
【０００１】
本開示は、太陽電池装置および太陽電池システムに関する。
【背景技術】
【０００２】
窓部を通過した太陽光の屋内空間への入射を遮るためのブラインドには、電動で開閉する電動ブラインドがある。この電動ブラインドとして、例えば、太陽電池で充電する充電池を電源として動作するものが提案されている（例えば、特許文献１の記載を参照）。
【先行技術文献】
【特許文献】
【０００３】
【特許文献１】特許第５４６５０９６号明細書
【発明の概要】
【発明が解決しようとする課題】
【０００４】
ブラインドと太陽電池とを組み合わせた太陽電池装置については、発電量を高める点で改善の余地がある。
【課題を解決するための手段】
【０００５】
太陽電池装置および太陽電池システムが開示される。
【０００６】
太陽電池装置の一態様は、第１方向に沿った長手方向を有する基部と、ブラインド部と、太陽電池部と、を備える。前記ブラインド部は、複数のスラットと、第１吊り下げ部と、を有する。前記複数のスラットは、前記第１方向に沿った長手方向をそれぞれ有するとともに前記第１方向に垂直な第２方向に並んでいるか、または前記第２方向に沿った長手方向をそれぞれ有するとともに前記第１方向に並んでいる状態で位置する。前記第１吊り下げ部は、前記複数のスラットを前記基部から前記第２方向に吊り下げるように位置するとともに前記複数のスラットをそれぞれの長手方向に沿った仮想的な第１回転軸を中心として回転可能に保持している状態で位置するスラット回転用保持部を含む。前記太陽電池部は、両面発電型の１つ以上の太陽電池モジュールと、第２吊り下げ部と、を有する。前記１つ以上の太陽電池モジュールは、前記第１方向および前記第２方向の双方に垂直な第３方向において前記ブラインド部から離れている状態で位置しており、第１受光面と該第１受光面の逆側において前記複数のスラットに対向している状態で位置する第２受光面とを含む。前記第２吊り下げ部は、前記１つ以上の太陽電池モジュールを前記基部から前記第２方向に吊り下げるように位置する。前記複数のスラットのそれぞれは、前記第２受光面に向けて前記１つ以上の太陽電池モジュールで光電変換可能な光を反射することが可能な反射部を有する。
【０００７】
太陽電池システムの一態様は、上記一態様に係る太陽電池装置と、第１仕切り部と、第２仕切り部と、を備える。前記第１仕切り部は、屋外空間と屋内空間とを仕切っている状態で位置する板状またはシート状の第１透明部材を含む。前記第２仕切り部は、前記第１仕切り部の前記屋内空間側において、前記第１仕切り部との間に間隙を挟んでいる状態で位置するとともに、前記屋内空間と前記間隙とを仕切っている状態で位置する板状またはシート状の第２透明部材を含む。前記ブラインド部および前記太陽電池部は、前記間隙内に位置する。
【発明の効果】
【０００８】
例えば、ブラインドと太陽電池とを組み合わせた太陽電池装置における発電量を高めることができる。
【図面の簡単な説明】
【０００９】
【図１】図１は、第１実施形態に係る太陽電池装置の一例の外観を示す斜視図である。
【図２】図２は、第１実施形態に係る太陽電池装置の一例の外観を示す側面図である。
【図３】図３（ａ）は、太陽電池モジュールの前面側から見た外観の一例を示す正面図である。図３（ｂ）は、図３（ａ）のIII−III線に沿った太陽電池モジュールの仮想的な切断面部の一例を示す図である。
【図４】図４（ａ）は、参考例に係る太陽電池装置においてスラットでの反射光が太陽電池モジュールの第２受光面に入射する角度の一例を示す図である。図４（ｂ）は、第１実施形態に係る太陽電池装置においてスラットでの反射光が太陽電池モジュールの第２受光面に入射する角度の一例を示す図である。
【図５】図５（ａ）から図５（ｃ）は、それぞれスラット回転用機構に係る構成の一例を側方から見た図である。図５（ａ）は、各スラットが鉛直面に対して約４５度傾斜している状態の一例を示す図である。図５（ｂ）は、各スラットが鉛直面に略垂直な状態の一例を示す図である。図５（ｃ）は、各スラットが鉛直面に対して約１０度傾斜している状態の一例を示す図である。
【図６】図６（ａ）から図６（ｃ）は、それぞれスラット昇降用機構に係る構成の一例を側方から見た図である。図６（ａ）は、複数のスラットが降下した状態の一例を示す図である。図６（ｂ）は、複数のスラットのうちの約半数のスラットが上昇した状態の一例を示す図である。図６（ｃ）は、複数のスラットがすべて上昇した状態の一例を示す図である。
【図７】図７（ａ）から図７（ｃ）は、それぞれモジュール回転用機構に係る構成の一例を側方から見た図である。図７（ａ）は、各太陽電池モジュールが鉛直面に対して略平行な状態の一例を示す図である。図７（ｂ）は、各太陽電池モジュールが鉛直面に対して約２０度傾斜している状態の一例を示す図である。図７（ｃ）は、各太陽電池モジュールが鉛直面に対して約４０度傾斜している状態の一例を示す図である。
【図８】図８（ａ）および図８（ｂ）は、それぞれモジュール昇降用機構に係る構成の一例を側方から見た図である。図８（ａ）は、複数の太陽電池モジュールが下降した状態の一例を示す図である。図８（ｂ）は、複数の太陽電池モジュールが上昇した状態の一例を示す図である。
【図９】図９は、太陽電池装置の機能的な構成の一例を示すブロック図である。
【図１０】図１０は、第１実施形態に係る太陽電池装置の一例の外観を示す斜視図である。
【図１１】図１１は、第１実施形態に係る太陽電池装置の一例の外観を示す斜視図である。
【図１２】図１２は、第１実施形態に係る太陽電池装置の一例の外観を示す斜視図である。
【図１３】図１３は、第２実施形態に係る太陽電池システムを含む建造物の一例のうちの一部の構成を示す見取図である。
【図１４】図１４は、図１３のXIV−XIV線に沿った第２実施形態に係る太陽電池システムの仮想的な断面の一例を示す断面図である。
【図１５】図１５（ａ）および図１５（ｂ）は、それぞれ第３実施形態に係る太陽電池装置におけるモジュール昇降用機構に係る構成の一例を側方から見た図である。図１５（ａ）は、複数の太陽電池モジュールが第１間隔で並んだ状態の一例を示す図である。図１５（ｂ）は、複数の太陽電池モジュールが第２間隔で並んだ状態の一例を示す図である。
【図１６】図１６は、第４実施形態に係る太陽電池装置の一例の外観を示す側面図である。
【図１７】図１７（ａ）および図１７（ｂ）は、それぞれ第４実施形態に係る太陽電池装置の動作の一例を示す図である。図１７（ａ）は、取付部に対して基部が前方に移動した状態の一例を示す図である。図１７（ｂ）は、取付部に対して基部が後方に移動した状態の一例を示す図である。
【図１８】図１８は、太陽電池モジュールへの太陽光の入射経路と庇部との位置関係の一例を示す図である。
【図１９】図１９は、第５実施形態に係る太陽電池装置の一例の外観を示す斜視図である。
【図２０】図２０（ａ）および図２０（ｃ）は、それぞれ第５実施形態に係る太陽電池装置におけるスラット移動用機構に係る構成の一例を前方から見た図である。図２０（ｂ）および図２０（ｄ）は、それぞれ第５実施形態に係る太陽電池装置におけるスラット移動用機構に係る構成の一例を上方から見た図である。図２０（ａ）および図２０（ｂ）は、それぞれ複数のスラットが展張状態にある場合におけるスラット移動用機構に係る構成の一例を示す図である。図２０（ｃ）および図２０（ｄ）は、それぞれ複数のスラットが畳み込み状態にある場合におけるスラット移動用機構に係る構成の一例を示す図である。
【図２１】図２１（ａ）から図２１（ｄ）は、それぞれ第５実施形態に係る太陽電池装置におけるスラット回転用機構に係る構成の一例を上方から見た図である。図２１（ａ）は、太陽電池モジュールの第２受光面に対して各スラットが略垂直な状態の一例を示す図である。図２１（ｂ）は、太陽電池モジュールの第２受光面に対して各スラットが約３０度傾斜した状態の一例を示す図である。図２１（ｃ）は、太陽電池モジュールの第２受光面に対して各スラットが略平行な状態の一例を示す図である。図２１（ｄ）は、太陽電池モジュールの第２受光面に対して各スラットが約−３０度傾斜した状態の一例を示す図である。
【発明を実施するための形態】
【００１０】
窓部を通過して屋内空間へ入射する太陽光を遮るアイテムとして、ブラインドが広く普及している。このブラインドには、例えば、意匠性および操作性の観点から、電動で開閉するブラインド（電動ブラインドともいう）が存在している。この電動ブラインドは、例えば、建造物の電源または電池などから供給される電力によって動作することができる。電池には、例えば、太陽電池における太陽光発電で得られた電力を充電する充電池が適用され得る。ここで、ブラインドと太陽電池とを組み合わせた太陽電池装置については、例えば、発電量を高める点で改善の余地がある。
【００１１】
そこで、本発明者らは、ブラインドと太陽電池とを組み合わせた太陽電池装置について、発電量を高めることができる技術を創出した。
【００１２】
これについて、以下、各種実施形態を図面に基づいて説明する。図面においては同様な構成および機能を有する部分に同じ符号が付されており、下記説明では重複説明が省略される。図面は模式的に示されたものである。図１から図８（ｂ）および図１０から図２１（ｄ）には、それぞれ右手系のＸＹＺ座標系が付されている。このＸＹＺ座標系では、水平方向に沿った基部２の長手方向が＋Ｘ方向とされ、水平方向に沿った基部２の短手方向が＋Ｙ方向とされ、＋Ｘ方向と＋Ｙ方向との両方に直交する方向（上方向ともいう）が＋Ｚ方向とされている。
【００１３】
＜１．第１実施形態＞
図１および図２で示されるように、太陽電池装置１は、基部２と、ブラインド部３と、太陽電池部４と、を備えている。
【００１４】
図２で示されるように、太陽電池装置１は、例えば、建造物１００の屋内空間Ｓｉ１のうち、屋外空間Ｓｏ１と屋内空間Ｓｉ１とを仕切っている状態で位置する部分（第１仕切り部ともいう）６の近傍で使用される。図２の例では、第１仕切り部６は、ＸＺ平面に沿って位置している。また、第１仕切り部６は、例えば、板状またはシート状の透明な部材（第１透明部材ともいう）６ｔを含む。別の観点から言えば、第１仕切り部６は、建造物１００の天井部５ｓｅと床部５ｆｌとの間に位置する窓部を含む。図２の例では、第１透明部材６ｔの表面および裏面は、それぞれＸＺ平面に沿って位置している。第１仕切り部６は、例えば、第１透明部材６ｔの外周部を保持している状態で位置する枠体６ｆを有していてもよい。第１仕切り部６の一部は、透明でない壁状の部分であってもよい。
【００１５】
第１透明部材６ｔは、例えば、特定範囲の波長の光に対する透光性を有する。特定範囲の波長には、例えば、太陽光７ｂｍに含まれる光の波長であって、太陽電池部４が光電変換し得る光の波長が適用される。特定範囲には、例えば、太陽光７ｂｍに含まれる可視光線から近赤外線の波長の範囲が含まれ得る。第１透明部材６ｔの素材として、例えば、ガラスなどが採用されれば、耐候性と透光性とを有する第１透明部材６ｔが実現され得る。第１透明部材６ｔの素材として、例えば、アクリルまたはポリカーボネートなどの樹脂が採用されれば、透光性を有する第１透明部材６ｔが実現され得る。
【００１６】
＜１−１．基部＞
基部２は、ブラインド部３の動作を実現するための各種の構成および機構を有する部分である。基部２は、例えば、第１方向に沿った長手方向を有する。ここでは、第１方向は、＋Ｘ方向である。図１および図２の例では、基部２は、ブラインド部３の上部に位置する直方体状のヘッドボックスである。この基部２は、例えば、建造物１００の天井部５ｓｅの凹状のカーテンボックス５ｃｂなどに固定された状態で位置している。基部２には、例えば、第１方向に垂直な第２方向に、ブラインド部３および太陽電池部４がそれぞれ吊り下げられている状態で位置している。ここでは、第２方向は、鉛直方向（下方向ともいう）としての−Ｚ方向である。図１および図２で示されているように、太陽電池部４は、例えば、第１方向および第２方向の双方に垂直な第３方向において、ブラインド部３から離れている状態で位置している。ここでは、第３方向は、水平方向としての−Ｙ方向である。換言すれば、太陽電池部４は、例えば、第１仕切り部６の第１透明部材６ｔとブラインド部３との間に位置している。別の観点から言えば、太陽電池部４は、例えば、ブラインド部３よりも屋外空間Ｓｏ１側に位置している。
【００１７】
基部２は、例えば、制御ユニット２ｃおよびマイクロインバータ２ｉなどを格納している上部２ｕと、第１機構ユニット２ｂｂおよび第２機構ユニット２ｂｓなどを格納している下部２ｂと、を有する。
【００１８】
制御ユニット２ｃは、例えば、太陽電池装置１の動作を統括的に制御するためのユニットである。
【００１９】
マイクロインバータ２ｉは、例えば、太陽電池部４に含まれた１枚の太陽電池モジュール４ｍ毎に位置している。このマイクロインバータ２ｉは、太陽電池モジュール４ｍで得られた直流の電力を交流の電力に変換することができる。マイクロインバータ２ｉは、例えば、太陽電池モジュール４ｍに一体的に含まれていてもよい。ここで、例えば、複数の太陽電池モジュール４ｍを電気的に直列に接続し、複数の太陽電池モジュール４ｍで得られた直流の電力を１つのパワーコンディショナーで交流の電力に変換する集中型制御の構成が採用されてもよい。例えば、太陽電池モジュール４ｍ毎のマイクロインバータ２ｉが電気的に並列に接続された分散型の構成が採用されれば、集中型制御の構成に比べて、複数の長い直流配線および複数の直流配線を結合する接続箱の省略が可能である。また、例えば、１枚または数枚の太陽電池モジュール４ｍに故障などが生じてもその影響が他の太陽電池モジュール４ｍに波及しにくい。
【００２０】
第１機構ユニット２ｂｂは、例えば、ブラインド部３の各種動作を実現するための各種の機構などを含む。
【００２１】
第２機構ユニット２ｂｓは、例えば、太陽電池部４の各種動作を実現するための各種の機構などを含む。
【００２２】
＜１−２．ブラインド部＞
ブラインド部３は、例えば、複数のスラット３ｓと、複数の第１吊り下げ部３ｈと、を有する。図１および図２の例では、ブラインド部３は、５０枚のスラット３ｓと、２つの第１吊り下げ部３ｈと、を有する。
【００２３】
スラット３ｓは、例えば、ブラインド部３を構成する１枚の細長く薄い矩形状の表裏面を有する羽根である。ブラインド部３は、例えば、各スラット３ｓの長手方向に沿った仮想的な回転軸（第１回転軸ともいう）を中心とした回転によって、ブラインド部３において光を遮ったり、光を透過させたりすることができる。複数のスラット３ｓは、例えば、第１方向としての＋Ｘ方向に沿った長手方向をそれぞれ有するとともに、第１方向に垂直な第２方向に並んでいる。換言すれば、例えば、複数のスラット３ｓのそれぞれが、水平方向に沿った長手方向を有するスラット（横長のスラットともいう）である。このため、第１実施形態では、ブラインド部３は、複数の横長のスラット３ｓを有する横型のブラインドである。また、複数のスラット３ｓのそれぞれは、例えば、太陽電池モジュール４ｍで光電変換可能な光を太陽電池モジュール４ｍに向けて反射することが可能な部分（反射部ともいう）３ｓｒを有する。例えば、各スラット３ｓは、少なくとも第１仕切り部６側を向く表面に反射部３ｓｒを有する。
【００２４】
ここで、反射部３ｓｒには、例えば、可視光線および近赤外線の一部を含む４００ｎｍから１２００ｎｍの波長域の光に対する反射率が７０％以上であるものが適用される。反射率は、物体に入射した放射束または光束に対する、反射した放射束または光束の比を意味する。反射部３ｓｒの反射率は、例えば、分光光度計を用いて各波長における分光反射率を求めて、４００ｎｍから１２００ｎｍの波長域の全域にわたる分光反射率の平均を算出することで求められ得る。具体的には、反射部３ｓｒには、例えば、表面において白色、銀色、乳白色または金属光沢などを有するものが適用される。
【００２５】
複数の第１吊り下げ部３ｈは、例えば、それぞれ、複数のスラット３ｓを基部２から第２方向に吊り下げるように位置している。図１および図２の例では、２つの第１吊り下げ部３ｈが、複数のスラット３ｓのそれぞれの長手方向としての＋Ｘ方向において、相互に異なる位置に存在する。各第１吊り下げ部３ｈは、例えば、スラット回転用保持部３ｈ１と、スラット昇降用保持部３ｈ２と、を含む。スラット回転用保持部３ｈ１は、例えば、複数のスラット３ｓをそれぞれの長手方向に沿った仮想的な第１回転軸を中心として回転可能に保持している状態で位置している。ここで、スラット回転用保持部３ｈ１には、例えば、一般的な横型のブラインドで使用されているラダーコードが適用される。スラット昇降用保持部３ｈ２には、例えば、一般的な横型のブラインドで使用されている昇降コードが適用される。
【００２６】
＜１−３．太陽電池部＞
太陽電池部４は、例えば、複数の太陽電池モジュール４ｍと、複数の第２吊り下げ部４ｈと、を有する。図１および図２の例では、太陽電池部４は、３つの太陽電池モジュール４ｍと、２つの第２吊り下げ部４ｈと、を有する。
【００２７】
太陽電池モジュール４ｍは、前面としての第１受光面Ｓ１と、この第１受光面Ｓ１の逆側に位置する裏面としての第２受光面Ｓ２と、を有する。図２で示されるように、第１受光面Ｓ１は、例えば、第１仕切り部６の第１透明部材６ｔ側に向いて位置している。換言すれば、第１受光面Ｓ１は、第１透明部材６ｔに対向している状態で位置している。これにより、例えば、第１受光面Ｓ１は、第１透明部材６ｔを透過した光を主に受光し得る。また、第２受光面Ｓ２は、ブラインド部３側に向いて位置している。換言すれば、第２受光面Ｓ２は、例えば、ブラインド部３を構成する複数のスラット３ｓに対向している状態で位置している。これにより、例えば、第２受光面Ｓ２は、複数のスラット３ｓの反射部３ｓｒで反射された光を主に受光し得る。
【００２８】
太陽電池モジュール４ｍには、例えば、第１受光面Ｓ１側および第２受光面Ｓ２側から入射した光を発電に寄与させることができる両面受光型の太陽電池モジュールが適用される。
【００２９】
ここで、例えば、太陽電池モジュール４ｍの半導体基板に多結晶シリコンが採用されていれば、太陽電池モジュール４ｍは、４００ｎｍから１１５０ｎｍ程度の波長域の光に対して高い分光感度を有する。例えば、太陽電池モジュール４ｍが、銅（Ｃｕ）、インジウム（Ｉ）、ガリウム（Ｇ）、セレン（Ｓｅ）の４種類の元素を原料として生成された化合物半導体（ＣＩＧＳ化合物半導体ともいう）で発電するものであれば、太陽電池モジュール４ｍは、４００ｎｍから１２００ｎｍ程度の波長域の光に対して高い分光感度を有する。例えば、太陽電池モジュール４ｍが、アモルファスシリコンの半導体で発電するものであれば、太陽電池モジュール４ｍは、４００ｎｍから７５０ｎｍ程度の波長域の光に対して高い分光感度を有する。
【００３０】
ここでは、例えば、複数のスラット３ｓのそれぞれが、反射部３ｓｒによって、太陽電池モジュール４ｍの第２受光面Ｓ２に向けて太陽電池モジュール４ｍで光電変換可能な光を反射することができる。このため、例えば、太陽の高度などに合わせて、各スラット３ｓの角度（スラット角度ともいう）を調整することで、両面発電型の太陽電池モジュール４ｍの第２受光面Ｓ２に向けて複数のスラット３ｓの反射部３ｓｒからの反射光を入射させることができる。これにより、例えば、太陽電池装置１における発電量を高めることができる。
【００３１】
また、例えば、仮に、太陽電池モジュール４ｍを第１透明部材６ｔに沿った屋内空間Ｓｉ１に単に配置すると、発電時の太陽電池モジュール４ｍの発熱によって室温などの屋内空間Ｓｉ１の温度が高まり、夏季における屋内空間Ｓｉ１での空調の負荷が高まる場合がある。これに対して、第１実施形態では、例えば、第１透明部材６ｔに沿って位置するブラインド部３と第１透明部材６ｔとの間に太陽電池モジュール４ｍを位置させる。このため、例えば、太陽電池モジュール４ｍが発する熱が、太陽電池モジュール４ｍと複数のスラット３ｓとの間の空気の層と、複数のスラット３ｓによる輻射熱の反射と、によって屋内空間Ｓｉ１において伝熱しにくい。これにより、例えば、屋内空間Ｓｉ１の温度の上昇を低減して、夏季における屋内空間Ｓｉ１での空調の負荷を低減することができる。
【００３２】
また、第１実施形態では、例えば、複数のスラット３ｓが、第１方向としての＋Ｘ方向に沿った長手方向をそれぞれ有するとともに第２方向としての−Ｚ方向に並んでいる。これにより、例えば、太陽の高度に合わせて、複数の横長のスラット３ｓのそれぞれのスラット角度を調整することで、両面発電型の太陽電池モジュール４ｍの第２受光面Ｓ２に入射される複数の横長のスラット３ｓからの反射光の光量を増加させることができる。これにより、例えば、太陽電池装置１における発電量を高めることができる。
【００３３】
第２吊り下げ部４ｈは、例えば、１つ以上の太陽電池モジュール４ｍを基部２から第２方向（−Ｚ方向）に吊り下げるように位置している。図１および図２の例では、２つの第２吊り下げ部３ｈが、複数の太陽電池モジュール４ｍのそれぞれの長手方向としての＋Ｘ方向において、相互に異なる位置に存在している。第２吊り下げ部４ｈは、例えば、太陽電池モジュール４ｍの移動が可能となるように太陽電池モジュール４ｍを吊り下げている状態で位置している。太陽電池モジュール４ｍの移動には、例えば、太陽電池モジュール４ｍの回転および太陽電池モジュール４ｍの昇降が含まれる。ここで、第２吊り下げ部４ｈは、例えば、第１吊り下げ用部分４ｈ１と第２吊り下げ用部分４ｈ２とを含む。例えば、第１吊り下げ用部分４ｈ１および第２吊り下げ用部分４ｈ２には、それぞれ紐状、鎖状または帯状などの細長い部材が適用される。
【００３４】
＜１−４．太陽電池モジュール＞
ここで、両面受光型の太陽電池モジュール４ｍについて、具体例を挙げて説明する。
【００３５】
太陽電池モジュール４ｍは、例えば、図３（ａ）および図３（ｂ）で示されるように、矩形の太陽電池パネルＰＮ１と、この太陽電池パネルＰＮ１の外周に配置されたフレームＦＬ１と、を有する。
【００３６】
太陽電池モジュール４ｍは、第１受光面Ｓ１と第２受光面Ｓ２とを接続するように位置する端面Ｅ１を有する。例えば、第１受光面Ｓ１および第２受光面Ｓ２は、それぞれ長方形状の形状を有する。この場合には、端面Ｅ１は、＋Ｚ方向に向いている第１端面Ｅ１１、＋Ｘ方向を向いている第２端面Ｅ１２、−Ｚ方向を向いている第３端面Ｅ１３および−Ｘ方向を向いている第４端面Ｅ１４を含む。
【００３７】
ここでは、図２および図３（ａ）で示されるように、例えば、太陽電池モジュール４ｍでは、第１被吊り下げ部分Ｐ１に第１吊り下げ用部分４ｈ１が連結され、第２被吊り下げ部分Ｐ２に第２吊り下げ用部分４ｈ２が連結された状態で位置している。第１被吊り下げ部分Ｐ１は、例えば、太陽電池モジュール４ｍのうちの基部２から遠い下辺側に位置している。具体的には、第１被吊り下げ部分Ｐ１は、例えば、第１受光面Ｓ１と第２端面Ｅ１２と第３端面Ｅ１３とが成す角部、および第１受光面Ｓ１と第４端面Ｅ１４と第３端面Ｅ１３とが成す角部のそれぞれの近傍に位置している。第２被吊り下げ部分Ｐ２は、例えば、太陽電池モジュール４ｍのうちの基部２に近い上辺側に位置している。具体的には、第２被吊り下げ部分Ｐ２は、例えば、第２受光面Ｓ２と第１端面Ｅ１１と第２端面Ｅ１２とが成す角部、および第２受光面Ｓ２と第１端面Ｅ１１と第４端面Ｅ１４とが成す角部のそれぞれの近傍に位置している。
【００３８】
図３（ａ）および図３（ｂ）で示されるように、太陽電池モジュール４ｍは、例えば、第１保護部材Ｐｒ１と、第２保護部材Ｐｒ２と、発電部Ｓｌ１と、充填材Ｆ１と、パッキング部Ｐｋ１と、を有する。ここでは、例えば、第１保護部材Ｐｒ１と第２保護部材Ｐｒ２とが発電部Ｓｌ１を挟むように位置している。第１保護部材Ｐｒ１は、例えば、太陽電池モジュール４ｍの第１受光面Ｓ１を構成している状態で位置している。第２保護部材Ｐｒ２は、例えば、太陽電池モジュール４ｍの第２受光面Ｓ２を構成している状態で位置している。
【００３９】
第１保護部材Ｐｒ１は、例えば、特定範囲の波長の光に対する透光性を有する。特定範囲の波長には、例えば、太陽光７ｂｍに含まれる光の波長であって、発電部Ｓｌ１が光電変換し得る光の波長が適用される。これにより、例えば、第１受光面Ｓ１に照射される光が、第１保護部材Ｐｒ１を発電部Ｓｌ１に向けて透過し得る。ここで、第１保護部材Ｐｒ１には、例えば、屈折率が１．４から１．８程度の平板状のガラス板が適用される。平板状のガラス板には、強化ガラスまたは白板ガラスなどが適用される。これにより、第１保護部材Ｐｒ１は、例えば、発電部Ｓｌ１を第１面Ｓｆ１側から保護することができる。
【００４０】
第２保護部材Ｐｒ２は、例えば、第１保護部材Ｐｒ１と同様に、特定範囲の波長の光に対する透光性を有する。これにより、例えば、第２受光面Ｓ２に照射される光が、第２保護部材Ｐｒ２を発電部Ｓｌ１に向けて透過し得る。このため、例えば、第１受光面Ｓ１に照射される光だけでなく、第２受光面Ｓ２に照射される光も、発電部Ｓｌ１における光電変換に利用される。第２保護部材Ｐｒ２には、例えば、屈折率が１．４から１．８程度の平板状のガラス板が適用される。平板状のガラス板には、強化ガラスまたは白板ガラスなどが適用される。これにより、第２保護部材Ｐｒ２は、例えば、発電部Ｓｌ１を第２受光面Ｓ２側から保護することができる。また、第２保護部材Ｐｒ２には、透明なポリエチレンナフタレート（ＰＥＮ）またはポリエチレンテレフタレート（ＰＥＴ）のフィルムなどが適用されてもよい。
【００４１】
発電部Ｓｌ１は、例えば、第１保護部材Ｐｒ１と第２保護部材Ｐｒ２との間の領域（隙間領域ともいう）Ａ０に位置している。発電部Ｓｌ１は、例えば、複数（ここでは２０個）の太陽電池素子Ｃ１を有する。複数の太陽電池素子Ｃ１は、例えば、第１保護部材Ｐｒ１の板面に沿って位置するように平面的に配列された状態で位置している。また、発電部Ｓｌ１は、例えば、複数の配線材Ｗ１を有する。複数の配線材Ｗ１には、例えば、半田が被覆された銅箔などが適用される。複数の配線材Ｗ１は、例えば、複数の太陽電池素子Ｃ１のうちの相互に隣り合う太陽電池素子Ｃ１をそれぞれ電気的に接続している状態にある。図３（ａ）の例では、第１端面Ｅ１１および第２端面Ｅ１２の最も近くに位置する太陽電池素子Ｃ１に接続された配線材Ｗ１と、第１端面Ｅ１１および第４端面Ｅ１４の最も近くに位置する太陽電池素子Ｃ１に接続された配線材Ｗ１と、が太陽電池モジュール４ｍの外部に引き出されている状態で位置している態様が考えられる。この場合には、２本の配線材Ｗ１が、例えば、第２保護部材Ｐｒ２を貫通するように位置する孔部を介して、太陽電池モジュール４ｍの外部に引き出された状態で位置している態様が考えられる。ここで、太陽電池モジュール４ｍの外部に引き出された状態にある２本の配線材Ｗ１は、例えば、端子ボックスなどを介して、第１吊り下げ用部分４ｈ１および第２吊り下げ用部分４ｈ２などに沿って位置する配線に電気的に接続される態様が考えられる。このような態様によれば、例えば、太陽電池モジュール４ｍにおける発電で得られた電力は、マイクロインバータ２ｉなどの太陽電池部４の外部に出力され得る。
【００４２】
充填材Ｆ１は、第１保護部材Ｐｒ１と第２保護部材Ｐｒ２との間の隙間領域Ａ０において発電部Ｓｌ１を覆うように位置している。充填材Ｆ１は、例えば、第１保護部材Ｐｒ１と第２保護部材Ｐｒ２との間の隙間領域Ａ０に充填されるように位置している。充填材Ｆ１は、例えば、第１保護部材Ｐｒ１側に位置する部分（第１充填部分ともいう）Ｆ１ｕと、第２保護部材Ｐｒ２側に位置する部分（第２充填部分ともいう）Ｆ１ｂと、を含む。第１充填部分Ｆ１ｕは、例えば、発電部Ｓｌ１の第１保護部材Ｐｒ１側の全面を覆うように位置している。第２充填部分Ｆ１ｂは、例えば、発電部Ｓｌ１の第２保護部材Ｐｒ２側の全面を覆うように位置している。このため、発電部Ｓｌ１は、例えば、第１充填部分Ｆ１ｕと第２充填部分Ｆ１ｂとによって挟み込まれるように囲まれた状態にある。これにより、例えば、充填材Ｆ１の存在によって発電部Ｓｌ１の姿勢が保たれ得る。また、充填材Ｆ１は、例えば、透光性を有する。これにより、第１受光面Ｓ１側からの入射光および第２受光面Ｓ２側からの入射光の双方が、発電部Ｓｌ１まで到達し得る。充填材Ｆ１の素材には、例えば、第１保護部材Ｐｒ１および第２保護部材Ｐｒ２に近いかまたは略同一の屈折率を有し、特定範囲の波長の光に対する透光性が優れた素材が適用される。具体的には、充填材Ｆ１の素材には、例えば、エチレン酢酸ビニル共重合体（ＥＶＡ）、トリアセチルセルロース（ＴＡＣ）およびＰＥＮなどのポリエステル樹脂などのうちの１種以上の素材が適用される。ここで、例えば、第１保護部材Ｐｒ１と第１充填部分Ｆ１ｕとが近いかまたは略同一の屈折率を有していれば、第１面Ｓｆ１に照射される光は、第１保護部材Ｐｒ１と第１充填部分Ｆ１ｕとの界面で反射しにくく、発電部Ｓｌ１まで到達しやすい。また、例えば、第２保護部材Ｐｒ２と第２充填部分Ｆ１ｂとが近いかまたは略同一の屈折率を有していれば、第２面Ｓｆ２に照射される光は、第２保護部材Ｐｒ２と第２充填部分Ｆ１ｂとの界面で反射しにくく、発電部Ｓｌ１まで到達しやすい。
【００４３】
パッキング部Ｐｋ１は、例えば、隙間領域Ａ０のうち、外部空間に対して開口している環状の部分（環状開口部ともいう）に沿って位置している。パッキング部Ｐｋ１は、例えば、発電部Ｓｌ１および充填材Ｆ１を含む領域の外周部分を囲むように位置している。ここでは、パッキング部Ｐｋ１は、例えば、第１保護部材Ｐｒ１から第２保護部材Ｐｒ２に至る領域を埋めるように位置している。ここで、例えば、パッキング部Ｐｋ１が、充填材Ｆ１よりも低い透湿度を有していれば、パッキング部Ｐｋ１は、隙間領域Ａ０のうちの外周部に沿った部分を封止することができる。これにより、パッキング部Ｐｋ１は、例えば、太陽電池モジュール４ｍの外部から発電部Ｓｌ１に向けた水分などの侵入を低減することができる。パッキング部Ｐｋ１の素材には、例えば、ブチル系の樹脂、ポリイソプロピレン系の樹脂またはアクリル系の樹脂などが適用される。パッキング部Ｐｋ１の素材は、例えば、透湿度が低い素材であれば、銅もしくは半田などの金属あるいはガラスなどの非金属を含むものでもよい。パッキング部Ｐｋ１は、例えば、銅箔を半田付けで接着したものであってもよいし、ガラスをレーザーなどで溶融させた後に凝固させたものであってもよい。
【００４４】
太陽電池モジュール４ｍは、例えば、端子ボックスを有していてもよい。端子ボックスは、太陽電池素子Ｃ１における発電で得られた電力を外部に取り出すことができる。端子ボックスが、例えば、第１受光面Ｓ１上および第２受光面Ｓ２上を避けて端面Ｅ１上に位置していれば、太陽電池モジュール４ｍのうちの第１受光面Ｓ１および第２受光面Ｓ２に照射される光が遮られにくくなり、太陽電池モジュール４ｍの発電量が向上し得る。端子ボックスは、例えば、箱体と、この箱体内に位置するターミナル板と、箱体の外部へ電力を導出する出力ケーブルと、を有する。箱体の材料には、例えば、変性ポリフェニレンエーテル樹脂（変性ＰＰＥ樹脂）またはポリフェニレンオキサイド樹脂（ＰＰＯ樹脂）が適用される。
【００４５】
太陽電池素子Ｃ１は、表裏両面から入射した光を電気に変換する機能を有する。この太陽電池素子Ｃ１は、例えば、単結晶シリコンまたは多結晶シリコンなどの半導体基板と、この半導体基板の表面（前面）および裏面に位置する電極とを有する。単結晶シリコンまたは多結晶シリコンの半導体基板を有する太陽電池素子Ｃ１は、略矩形状の表裏面を有する。太陽電池素子Ｃ１の一辺の大きさは、例えば、１００ｍｍから２００ｍｍ程度とされる。このようなシリコン基板を有する太陽電池素子Ｃ１では、例えば、隣接する第１太陽電池素子Ｃ１と第２太陽電池素子Ｃ１とのうち、第１太陽電池素子Ｃ１の前面に位置する電極と、第２太陽電池素子Ｃ１の裏面に位置する電極とが配線材Ｗ１で電気的に接続されている。これにより、複数の太陽電池素子Ｃ１が直列接続されるように配列される。
【００４６】
太陽電池素子Ｃ１には、例えば、バルク系および薄膜系の何れのタイプの太陽電池素子が適用されてもよい。バルク系の太陽電池素子には、例えば、単結晶シリコンまたは多結晶シリコンなどの結晶シリコンの半導体基板を有する太陽電池素子が適用される。薄膜系の太陽電池素子には、例えば、薄膜シリコン、アモルファスシリコンあるいはＣＩＧＳ化合物半導体またはＣｄＴｅ化合物半導体などの材料で構成された薄膜系の太陽電池素子が適用される。ＣｄＴｅ化合物半導体は、カドミウム（Ｃｄ）とテルル（Ｔｅ）との２種類の元素を原料として生成された化合物半導体である。薄膜系の太陽電池素子には、例えば、ガラス基板上に、アモルファスシリコン、ＣＩＧＳ化合物半導体またはＣｄＴｅ化合物半導体などの光電変換層および透明電極などが適宜積層されたものが適用される。この場合には、薄膜系の太陽電池素子は、例えば、複数の太陽電池素子Ｃ１を電気的に接続するために配線材Ｗ１を用いることなく、ガラス基板上で光電変換層および透明電極にパターンニングを施して集積化することで発電部Ｓｌ１が実現され得る。この場合には、例えば、薄膜系の太陽電池素子は、帯状の形状を有する。また、複数の薄膜系の太陽電池素子のそれぞれが、同一の面積を有する。また、太陽電池素子Ｃ１には、例えば、単結晶シリコンまたは多結晶シリコンなどの結晶シリコンの半導体基板上にアモルファスシリコンの薄膜が形成されたタイプの太陽電池素子が適用されてもよい。
【００４７】
ところで、第１実施形態では、図１および図２で示されるように、太陽電池部４は、例えば、第２方向（−Ｚ方向）において相互に離れた状態で並んでいる、複数（ここでは３つ）の太陽電池モジュール４ｍを含む。換言すれば、例えば、ＸＺ平面に沿った仮想的な鉛直面に対して垂直な方向（＋Ｙ方向）に、複数の太陽電池モジュール４ｍを平面視した場合に、第２方向（−Ｚ方向）において隣り合う太陽電池モジュール４ｍの間に間隙が存在する。これにより、例えば、図２で示されるように、複数の太陽電池モジュール４ｍの間の隙間を通過した太陽光７ｂｍが複数の横長のスラット３ｓで反射されて、太陽電池モジュール４ｍの第２受光面Ｓ２に入射される。
【００４８】
ここで、例えば、仮に、太陽電池モジュール４ｍにおける第１受光面Ｓ１および第２受光面Ｓ２が水平方向に沿った短手方向を有する太陽電池モジュール（縦長の太陽電池モジュールともいう）である場合を想定する。この場合には、例えば、図４（ａ）で示されるように、スラット３ｓで反射された反射光の第２受光面Ｓ２に対する入射角度θ１が大きくなり得る。ここで、例えば、第２保護部材Ｐｒ２の素材が高透過ガラスであれば、スラット３ｓで反射された反射光の第２受光面Ｓ２に対する入射角度θ１が約５０度（５０°）を超えると、スラット３ｓで反射された反射光が、第２保護部材Ｐｒ２を透過しにくくなる。また、例えば、第２保護部材Ｐｒ２の素材が透明ビニルフィルムまたはアクリルであれば、スラット３ｓで反射された反射光の第２受光面Ｓ２に対する入射角度θ１が約７０度（７０°）を超えると、スラット３ｓで反射された反射光が、第２保護部材Ｐｒ２を透過しにくくなる。
【００４９】
これに対して、第１実施形態では、例えば、太陽電池モジュール４ｍにおける第１受光面Ｓ１および第２受光面Ｓ２のそれぞれが、第１方向（＋Ｘ方向）に沿った長手方向を有する矩形状の形状をする。換言すれば、複数の太陽電池モジュール４ｍのそれぞれが、水平方向に沿った長手方向を有する太陽電池モジュール（横長の太陽電池モジュールともいう）である。この場合には、例えば、図４（ｂ）で示されるように、第２受光面Ｓ２の広い範囲において、スラット３ｓで反射された反射光の第２受光面Ｓ２に対する入射角度θ２が、上記の入射角度θ１よりも小さくなり得る。これにより、例えば、複数の横長のスラット３ｓからの反射光が、第２受光面Ｓ２を構成するガラスまたはフィルムなどの透明な部材の表面において反射されにくく、太陽電池モジュール４ｍにおいて光電変換に利用される光の割合が高まり得る。その結果、例えば、太陽電池装置１における発電量を高めることができる。
【００５０】
＜１−５．スラットを動作させるための構成＞
基部２の第１機構ユニット２ｂｂは、例えば、図２、図５（ａ）から図５（ｃ）および図６（ａ）から図６（ｃ）で示されるように、スラット回転用機構２３１と、スラット昇降用機構２３２と、を有する。スラット回転用機構２３１は、複数のスラット３ｓのそれぞれを回転させることができる機構である。スラット昇降用機構２３２は、複数のスラット３ｓを昇降させることができる機構である。
【００５１】
図５（ａ）から図５（ｃ）で示されるように、スラット回転用機構２３１は、例えば、スラット回転用保持部３ｈ１を傾動させ、複数のスラット３ｓのそれぞれを長手方向に沿った仮想的な第１回転軸を中心として回転させることができる。
【００５２】
ここでは、例えば、スラット回転用保持部３ｈ１にラダーコードが適用された場合を想定する。この場合には、スラット回転用保持部３ｈ１は、例えば、第１縦紐部Ｌｖ１と、第２縦紐部Ｌｖ２と、複数の横紐部Ｌｈ１と、を有する。第１縦紐部Ｌｖ１および第２縦紐部Ｌｖ２は、それぞれ第２方向（−Ｚ方向）に沿って位置する紐状の部分である。また、第１縦紐部Ｌｖ１と第２縦紐部Ｌｖ２とは、第３方向（−Ｙ方向）に間隔をあけて位置している。複数の横紐部Ｌｈ１は、それぞれ第１縦紐部Ｌｖ１と第２縦紐部Ｌｖ２との間に架設されているように位置する紐状の部分である。また、複数の横紐部Ｌｈ１は、第２方向（−Ｚ方向）において等間隔に位置している。このため、スラット回転用保持部３ｈ１は、梯子状の形態を有する。そして、複数の横紐部Ｌｈ１のそれぞれの上にスラット３ｓが１枚ずつ位置している。換言すれば、２つのスラット回転用保持部３ｈ１のそれぞれの１本の横紐部Ｌｈ１によって、１枚のスラット３ｓが保持されている状態にある。ここで、複数の横紐部Ｌｈ１は、例えば、第２方向（−Ｚ方向）において予め設定された所定のピッチで位置している。これにより、複数のスラット３ｓが第２方向（−Ｚ方向）において所定のピッチ（スラットピッチともいう）で位置している。スラットピッチは、例えば、スラット３ｓの矩形状の表面の短手方向の幅（スラット幅ともいう）よりも短く設定される。例えば、スラットピッチが２ｃｍであり、スラット幅が２．５ｃｍであるような態様が考えられる。
【００５３】
スラット回転用機構２３１は、例えば、第１軸部材Ｓｈ１と、第１突出部Ｗｇ１と、第２突出部Ｗｇ２と、を有する。第１軸部材Ｓｈ１は、例えば、第１方向（＋Ｘ方向）に沿った仮想的な回転軸Ａｘ１を中心として回転可能な円筒状または棒状の部材である。例えば、第１突出部Ｗｇ１および第２突出部Ｗｇ２は、それぞれ第１軸部材Ｓｈ１の外周部から径方向に突出するように位置している。第１突出部Ｗｇ１と第２突出部Ｗｇ２は、例えば、仮想的な回転軸Ａｘ１を挟んで逆方向に突出するように位置している。第１突出部Ｗｇ１は、例えば、第１縦紐部Ｌｖ１が吊り下げられた状態で位置している。第２突出部Ｗｇ２は、例えば、第２縦紐部Ｌｖ２が吊り下げられた状態で位置している。
【００５４】
ここで、例えば、第１軸部材Ｓｈ１が仮想的な回転軸Ａｘ１を中心として回転すれば、図５（ａ）から図５（ｃ）で示されるように、スラット回転用保持部３ｈ１が歪むように傾動する。このとき、複数のスラット３ｓのそれぞれが長手方向に沿った仮想的な第１回転軸を中心として回転する。ここでは、例えば、スラットピッチがスラット幅よりも小さいため、図５（ｃ）で示されるように、複数のスラット３ｓが第２方向としての−Ｚ方向に沿って位置する場合には、ブラインド部３が光を遮蔽するように位置している状態（閉状態ともいう）にある。ここでは、例えば、スラットピッチとスラット幅とが同一であってもよいし、スラットピッチがスラット幅よりも大きくてもよい。
【００５５】
図６（ａ）から図６（ｃ）で示されるように、スラット昇降用機構２３２は、例えば、スラット昇降用保持部３ｈ２によって複数のスラット３ｓを昇降させることができる。スラット昇降用保持部３ｈ２には、例えば、１本の紐状、鎖状または帯状の細長い昇降コードが適用される。スラット昇降用機構２３２は、例えば、第１ドラムＤ１とローラＲｓ１とを有する。第１ドラムＤ１には、例えば、第１方向（＋Ｘ方向）に沿った仮想的な回転軸Ａｘ２を中心として回転可能な円筒状の部材が適用される。ローラＲｓ１には、例えば、第１方向（＋Ｘ方向）に沿った仮想的な回転軸Ａｘ３を中心として回転可能な円盤状の部材が適用される。ここでは、例えば、第１ドラムＤ１の外周部に、スラット昇降用保持部３ｈ２としての昇降コードが巻き付けられた状態にある。スラット昇降用保持部３ｈ２は、例えば、第１ドラムＤ１の外周部からローラＲｓ１の外周部を経て、第２方向（−Ｚ方向）に垂下している状態で位置している。スラット昇降用保持部３ｈ２は、例えば、複数のスラット３ｓに設けられた貫通孔Ｔｈ３を介して位置している。そして、スラット昇降用保持部３ｈ２は、例えば、複数のスラット３ｓの下方に位置するボトムレール３ｅを吊り下げている状態で位置している。ボトムレール３ｅは、例えば、第１方向（＋Ｘ方向）に長手方向を有する長尺の部材である。
【００５６】
ここで、例えば、第１ドラムＤ１が、仮想的な回転軸Ａｘ２を中心として回転して、スラット昇降用保持部３ｈ２としての昇降コードを巻き上げれば、図６（ａ）から図６（ｃ）で示されるように、ボトムレール３ｅが上昇する。このとき、ボトムレール３ｅが複数のスラット３ｓを下から順に押し上げ、複数のスラット３ｓが上昇する。一方、例えば、第１ドラムＤ１が、仮想的な回転軸Ａｘ２を中心として回転して、スラット昇降用保持部３ｈ２としての昇降コードを巻き出せば、ボトムレール３ｅが下降する。このとき、複数のスラット３ｓのうちの上から順にボトムレール３ｅによる押し上げから解除され、複数のスラット３ｓが下降する。
【００５７】
＜１−６．太陽電池モジュールを動作させるための構成＞
第２機構ユニット２ｂｓは、例えば、図２、図７（ａ）から図７（ｃ）、図８（ａ）および図８（ｂ）で示されるように、モジュール回転用機構２４１とモジュール昇降用機構２４２とを有する。モジュール回転用機構２４１は、例えば、複数の太陽電池モジュール４ｍを＋Ｘ方向に沿った仮想的な回転軸（第２回転軸ともいう）を中心として回転させることができる機構である。モジュール昇降用機構２４２は、例えば、複数の太陽電池モジュール４ｍを昇降させることができる機構である。
【００５８】
ここでは、例えば、第１吊り下げ用部分４ｈ１および第２吊り下げ用部分４ｈ２のそれぞれに紐状、鎖状または帯状の細長い部材（細長部材ともいう）が適用された場合を想定する。
【００５９】
モジュール回転用機構２４１は、例えば、第２ドラムＤ２を有する。第２ドラムＤ２には、例えば、第１方向（＋Ｘ方向）に沿った仮想的な回転軸Ａｘ４を中心として回転可能な円筒状の部材が適用される。ここでは、例えば、第２ドラムＤ２の外周部に、第１吊り下げ用部分４ｈ１としての細長部材が巻き付けられた状態にある。第１吊り下げ用部分４ｈ１は、例えば、第２ドラムＤ２の外周部から下方向に巻き出されているような状態で位置している。第１吊り下げ用部分４ｈ１は、例えば、太陽電池モジュール４ｍの第１被吊り下げ部分Ｐ１に連結されている。
【００６０】
ここで、例えば、第２ドラムＤ２が、仮想的な回転軸Ａｘ４を中心として回転して、第１吊り下げ用部分４ｈ１を巻き上げれば、図７（ａ）から図７（ｃ）で示されるように、各太陽電池モジュール４ｍの第１被吊り下げ部分Ｐ１が上方に引っ張り上げられる。このとき、例えば、第２被吊り下げ部分Ｐ２に対して第１被吊り下げ部分Ｐ１が第３方向（−Ｙ方向）に移動することで、各太陽電池モジュール４ｍが第１方向（＋Ｘ方向）に沿った仮想的な第２回転軸を中心として回転する。これにより、例えば、各太陽電池モジュール４ｍは、第１受光面Ｓ１が斜め上方を向くように傾斜し得る。換言すれば、例えば、各太陽電池モジュール４ｍが傾動し得る。また、ここで、例えば、第２ドラムＤ２が、仮想的な回転軸Ａｘ４を中心として回転して、第１吊り下げ用部分４ｈ１を巻き出せば、各太陽電池モジュール４ｍの第１被吊り下げ部分Ｐ１が下方に移動する。このとき、例えば、第１被吊り下げ部分Ｐ１が第３方向（−Ｙ方向）とは逆の第４方向としての＋Ｙ方向に移動することで、各太陽電池モジュール４ｍが第１方向（＋Ｘ方向）に沿った仮想的な第２回転軸を中心として回転する。これにより、例えば、各太陽電池モジュール４ｍが、第１受光面Ｓ１が鉛直面に近づくように回転する。このように、第１吊り下げ用部分４ｈ１は、例えば、各太陽電池モジュール４ｍを第１方向（＋Ｘ方向）に沿った仮想的な第２回転軸を中心として回転可能となるように吊り下げている状態で位置する部分（モジュール回転用吊り下げ部ともいう）である。
【００６１】
ここでは、例えば、太陽の高度などに合わせて太陽電池モジュール４ｍの角度（モジュール角度ともいう）を変更すれば、第１受光面Ｓ１で受光する太陽光の光量（日射量ともいう）を増加させることができる。また、例えば、モジュール角度を変更することで、第１透明部材６ｔから屋内空間Ｓｉ１に向かって入射する太陽光の光量を調整することもできる。これにより、例えば、屋内空間Ｓｉ１における照明装置の負荷の低減を図ることができる。
【００６２】
また、例えば、複数の横長のスラット３ｓが採用される場合には、例えば、太陽の高度などに合わせてモジュール角度を変更すれば、複数の横長のスラット３ｓで反射されて第２受光面Ｓ２に入射する反射光の入射角度が小さくなり得る。これにより、例えば、複数の横長のスラット３ｓからの反射光のうち、第２受光面Ｓ２を構成するガラスまたはフィルムなどの透明な部材の表面において反射されずに太陽電池モジュール４ｍにおいて光電変換に利用される光の割合が高まり得る。その結果、例えば、太陽電池装置１における発電量を高めることができる。
【００６３】
なお、上記ではモジュール回転用機構２４１として、第２ドラムＤ２を用いる例を示した。しかしながら、モジュール回転用機構２４１として第２ドラムＤ２のみを使う場合に限られるものではない。例えば、第３ドラムＤ３が、仮想的な回転軸Ａｘ５を中心として回転して、第２吊り下げ用部分４ｈ２を巻き上げて、あるいは巻き出して、各太陽電池モジュール４ｍを第１方向（＋Ｘ方向）に沿った仮想的な第２回転軸を中心として回転させることにより、太陽電池モジュール４ｍの角度を変更してもよい。この場合には、モジュール回転用機構２４１には、第３ドラムＤ３が含まれ、第２吊り下げ用部分４ｈ２は、モジュール回転用吊り下げ部としての役割を有する。また、他にも、例えば、第２ドラムＤ２と第３ドラムＤ３とをそれぞれ回転して、第１吊り下げ用部分４ｈ１と第２吊り下げ用部分４ｈ２とを巻き上げて、あるいは巻き出して、太陽電池モジュール４ｍの角度を変更してもよい。この場合には、モジュール回転用機構２４１には、第２ドラムＤ２および第３ドラムＤ３が含まれ、第１吊り下げ用部分４ｈ１および第２吊り下げ用部分４ｈ２が、モジュール回転用吊り下げ部としての役割を有する。
【００６４】
モジュール昇降用機構２４２は、例えば、第３ドラムＤ３を有する。第３ドラムＤ３には、例えば、第１方向（＋Ｘ方向）に沿った仮想的な回転軸Ａｘ５を中心として回転可能な円筒状の部材が適用される。ここでは、例えば、第３ドラムＤ３の外周部に、第２吊り下げ用部分４ｈ２としての紐状、鎖状または帯状の細長部材が巻き付けられた状態にある。第２吊り下げ用部分４ｈ２は、例えば、第３ドラムＤ３の外周部から下方向に巻き出されているような状態で位置している。第２吊り下げ用部分４ｈ２は、例えば、太陽電池モジュール４ｍの第２被吊り下げ部分Ｐ２に連結されている。
【００６５】
ここで、例えば、第３ドラムＤ３が、仮想的な回転軸Ａｘ５を中心として回転して、第２吊り下げ用部分４ｈ２を巻き上げれば、図８（ａ）および図８（ｂ）で示されるように、太陽電池モジュール４ｍの第２被吊り下げ部分Ｐ２が上方に引っ張り上げられる。このとき、例えば、第２被吊り下げ部分Ｐ２が上方向（＋Ｚ方向）に移動することで、太陽電池モジュール４ｍが基部２に近づく方向に移動する。これにより、例えば、太陽電池部４が上昇し得る。また、ここで、例えば、第３ドラムＤ３が、仮想的な回転軸Ａｘ５を中心として回転して、第２吊り下げ用部分４ｈ２を巻き出せば、太陽電池モジュール４ｍの第２被吊り下げ部分Ｐ２が下方に移動する。このとき、例えば、第２被吊り下げ部分Ｐ２が下方向（−Ｚ方向）に移動することで、太陽電池モジュール４ｍが基部２から遠ざかる方向に移動する。これにより、例えば、太陽電池部４が下降し得る。このように、第２吊り下げ用部分４ｈ２は、例えば、各太陽電池モジュール４ｍを基部２に近づける方向に移動させる動作と、各太陽電池モジュール４ｍを基部２から遠ざける方向に移動させる動作と、を実行させることが可能な部分（モジュール昇降用吊り下げ部ともいう）である。
【００６６】
ここでは、例えば、第２吊り下げ用部分４ｈ２の巻き上げおよび巻き出しを行うような機構によって、太陽電池部４を昇降させることができる。これにより、例えば、季節による太陽の南中高度などの違いおよび建造物１００外の植栽などの影の状況などに応じて、太陽電池部４の高さを調整することで、太陽電池部４および屋内空間Ｓｉ１へ入射する太陽光の光量を調整することができる。その結果、例えば、太陽電池装置１における発電量の向上および屋内空間Ｓｉ１における照明装置の負荷の低減を図ることができる。また、例えば、太陽電池装置１の清掃などのメンテナンスを行う際に、太陽電池部４をメンテナンスに適した位置に移動させることもできる。
【００６７】
なお、図８（ａ）および図８（ｂ）で示されるように、太陽電池モジュール４ｍの角度を維持したまま、太陽電池部４を昇降させるためには、例えば、第２吊り下げ用部分４ｈ２を巻き上げる、あるいは巻き出す動きに合わせて、第２ドラムＤ２で第１吊り下げ用部分４ｈ１を巻き上げて、あるいは巻き出して、第２吊り下げ用部分４ｈ２の動きに合わせて第１被吊り下げ部分Ｐ１を上方向、あるいは下方向に移動させればよい。このとき、第１被吊り下げ用部分Ｐ１から第２被吊り下げ用部分Ｐ２までの上方向（＋Ｚ方向）の距離が一定に保たれるようにするとよい。
【００６８】
具体的には、例えば、夏季には太陽の高度が大きくなる。例えば、夏至の南中高度は、札幌市では約７０．４度であり、東京では約７８．４度であり、那覇市では約８７．４度である。この夏季では、屋内空間Ｓｉ１側において、太陽からの直射光が入射する範囲は第１透明部材６ｔの近傍に限られ、第１仕切り部６の上縁に沿った庇部５ｆｒなどによって太陽からの直射光が遮られる場合がある。このような場合を考慮して、例えば、太陽電池部４を下方に降下させることで、太陽電池部４に入射する太陽光の光量を増加させて、太陽電池装置１における発電量を高めることができる。
【００６９】
また、例えば、冬季および夕方の時間帯には太陽の高度が小さくなる。例えば、冬至の南中高度は、札幌市では約２３．６度であり、東京では約３１．６度であり、那覇市では約４０．６度である。このように太陽の高度が小さな場合には、太陽からの直射光が屋内空間Ｓｉ１の奥まで入り、そこにいる人にとって眩しすぎて、人の行動を妨げてしまう状況が生じ得る。このような状況が生じそうな場合には、例えば、太陽電池部４を上方に移動させることで、太陽から屋内空間Ｓｉ１の奥に向かう直射光を太陽電池部４で遮って、屋内空間Ｓｉ１のうち太陽からの直射光が主に達する領域を第１透明部材６ｔの近傍とすることもできる。これにより、例えば、人が行動しやすいように屋内空間Ｓｉ１の環境を改善することができる。また、このとき、例えば、ブラインド部３を閉状態とせずに、屋内空間Ｓｉ１に居る人がブラインド部３越しに太陽電池部４を見ることができる状態を維持することも可能である。これにより、例えば、環境に配慮した意匠を保つこともできる。
【００７０】
＜１−７．太陽電池装置の機能的な構成＞
制御ユニット２ｃは、図９で示されるように、例えば、入力部２１、記憶部２２、制御部２３およびインターフェース（Ｉ／Ｆ）部２４〜２８を有する。これらの各部は、例えば、バスライン２ｂｕで相互に接続されている。
【００７１】
入力部２１は、例えば、ユーザの遠隔制御装置（リモコンともいう）に対する操作などに応じて遠隔制御装置から発せられる信号を入力することができる。入力部２１と遠隔制御装置との信号の通信は、例えば、無線通信であっても有線通信であってもよい。入力部２１は、例えば、通信回線を介してインターネットなどで各種の情報を取得可能である通信部を有していてもよい。
【００７２】
記憶部２２は、例えば、各種情報を記憶することができる。この記憶部２２は、例えば、１つ以上のフラッシュメモリなどの不揮発性の記憶媒体を有する。記憶部２２には、例えば、プログラムＰｇ１および各種データＤｔ１などが記憶される。
【００７３】
制御部２３は、例えば、太陽電池装置１の構成要素を制御することで、太陽電池装置１の動作を統括的に管理することができる。制御部２３は、制御装置または制御回路とも言える。制御部２３は、以下にさらに詳細に述べられるように、種々の機能を実行するための制御および処理能力を提供するために、少なくとも１つのプロセッサを含む。種々の実施形態によれば、少なくとも１つのプロセッサは、単一の集積回路（ＩＣ）として、または複数の通信可能に接続された集積回路および／またはディスクリート回路として実行されてもよい。少なくとも１つのプロセッサは、種々の既知の技術に従って実行され得る。１つの実施形態では、プロセッサは、例えば、関連するメモリに記憶された指示を実行することで１つ以上のデータ計算手続または処理を実行するように構成された１つ以上の回路またはユニットを含む。他の実施形態において、プロセッサは、１つ以上のデータ計算手続きまたは処理を実行するように構成されたファームウェア（例えば、ディスクリートロジックコンポーネント）であってもよい。種々の実施形態によれば、プロセッサは、１つ以上のプロセッサ、コントローラ、マイクロプロセッサ、マイクロコントローラ、特定用途向け集積回路（ＡＳＩＣ）、デジタル信号処理装置、プログラマブルロジックデバイス、フィールドプログラマブルゲートアレイ、またはこれらのデバイスもしくは構成の任意の組合せ、または他の既知のデバイスおよび構成の組合せを含み、以下に説明される機能を実行してもよい。
【００７４】
図９の例では、制御部２３は、演算部２３ａおよびメモリ２３ｂを有する。演算部２３ａには、例えば、ＣＰＵ（Central Processing Unit）が適用される。メモリ２３ｂには、例えば、演算部２３ａが読み取り可能な、ＲＡＭ（Random Access Memory）などの一時的な記録媒体またはＲＯＭ（Read Only Memory）などの非一時的な記録媒体が適用される。制御部２３の各種機能は、演算部２３ａが記憶部２２内のプログラムＰｇ１を実行することで実現される。ここで、演算部２３ａは、複数のＣＰＵを有していてもよい。演算部２３ａの全ての機能あるいは演算部２３ａの一部の機能は、その機能の実現にソフトウェアが不要なハードウェア回路によって実現されてもよい。
【００７５】
Ｉ／Ｆ部２４〜２８のそれぞれは、太陽電池装置１の各種の構成要素に信号の送受信が可能な態様で接続された状態にある。Ｉ／Ｆ部２４には、例えば、スラット回転用機構２３１の第１軸部材Ｓｈ１を仮想的な回転軸Ａｘ１を中心として回転させる第１駆動部３１が接続された状態にある。第１駆動部３１は、例えば、第１軸部材Ｓｈ１を回転させることで、スラット回転用保持部３ｈ１によって複数のスラット３ｓを仮想的な第１回転軸を中心として回転させることができる。Ｉ／Ｆ部２５には、例えば、スラット昇降用機構２３２の第１ドラムＤ１を仮想的な回転軸Ａｘ２を中心として回転させる第２駆動部３２が接続された状態にある。第２駆動部３２は、例えば、第１ドラムＤ１を回転させることで、スラット昇降用保持部３ｈ２によって複数のスラット３ｓを昇降させることができる。Ｉ／Ｆ部２６には、例えば、モジュール回転用機構２４１の第２ドラムＤ２を仮想的な回転軸Ａｘ４を中心として回転させる第３駆動部４１が接続された状態にある。第３駆動部４１は、例えば、第２ドラムＤ２を仮想的な回転軸Ａｘ４を中心として回転させることで、モジュール回転用吊り下げ部としての第１吊り下げ用部分４ｈ１によって、複数の太陽電池モジュール４ｍのそれぞれを仮想的な第２回転軸を中心として回転させることができる。Ｉ／Ｆ部２７には、例えば、モジュール昇降用機構２４２の第３ドラムＤ３を仮想的な回転軸Ａｘ５を中心として回転させる第４駆動部４２が接続された状態にある。第４駆動部４２は、例えば、モジュール昇降用吊り下げ部としての第２吊り下げ用部分４ｈ２を介して、複数の太陽電池モジュール４ｍを昇降させることができる。
【００７６】
第１駆動部３１、第２駆動部３２、第３駆動部４１および第４駆動部４２は、例えば、基部２内に位置している。第１駆動部３１、第２駆動部３２、第３駆動部４１および第４駆動部４２のそれぞれには、例えば、モータおよびこのモータの回転角度などを検出するためのロータリーエンコーダなどが適用される。
【００７７】
Ｉ／Ｆ部２８には、例えば、センサ部５３が接続された状態にある。センサ部５３には、例えば、気温、場所、方位、照射される太陽光の光量などの太陽電池装置１が設置された環境に係る指標を検出するための各種のセンサが適用される。ここで、例えば、センサ部５３に温度計が適用されれば、気温の測定が可能である。気温には、例えば、屋外空間Ｓｏ１の温度および屋内空間Ｓｉ１の温度が適用され得る。例えば、センサ部５３に全地球測位システム（ＧＰＳ）を実現する構成を適用すれば、太陽電池装置１が設置された場所および方位を示す指標が検出され得る。太陽電池装置１が設置された場所および方位の情報は、記憶部２２の各種データＤｔ１内に予め記憶されていてもよい。例えば、センサ部５３に照度計または輝度計などが適用されれば、センサ部５３は照射される太陽光の光量（日射量ともいう）の検出が可能である。例えば、センサ部５３に、太陽電池モジュール４ｍにおける発電量に係る情報を取得するための電流計および電圧計を適用して、太陽電池モジュール４ｍに照射される太陽光の光量を間接的に取得してもよい。これにより、制御部２３は、センサ部５３を介して、例えば、気温、場所、方位、照射される太陽光の光量などの太陽電池装置１が設置された環境に係る指標を取得することができる。
【００７８】
ここでは、制御部２３は、例えば、太陽電池モジュール４ｍにおける発電量に係る情報をセンサ部５３以外の外部装置から取得してもよい。また、制御部２３は、例えば、カレンダーおよび時計の機能などを用いて、現在の日時の情報を太陽電池装置１が設置された環境に係る指標として取得してもよい。ここで、制御部２３は、例えば、太陽電池装置１が設置された場所および方位を示す指標と、現在の日時の情報と、に基づいて、太陽の方位および高度などの情報を取得することができてもよい。制御部２３は、例えば、太陽電池装置１が設置された場所および方位に対応するテーブルなどの情報に、現在の日時の情報を適用することで、太陽の高度および方位などの情報を取得してもよい。制御部２３は、例えば、インターネットなどを介して、現在の太陽の高度および方位ならびに現在の気温または平均気温などの太陽電池装置１が設置された環境に係る各種の指標を取得してもよい。
【００７９】
ここで、制御部２３は、例えば、第１駆動部３１によってスラット回転用保持部３ｈ１を介して複数のスラット３ｓのそれぞれを仮想的な第１回転軸を中心として回転させることができる。このため、例えば、制御部２３は、太陽電池装置１が設置された環境に係る各種の指標に応じて、スラット角度を調整することができる。これにより、例えば、太陽電池モジュール４ｍにおける発電量の向上と、第１透明部材６ｔ側から屋内空間Ｓｉ１の奥側への伝熱の低減による屋内空間Ｓｉ１での空調の負荷の低減と、を図ることができる。そして、例えば、太陽電池モジュール４ｍにおける発電量の向上および空調の負荷の低減の優先順位に従って、太陽電池モジュール４ｍでの発電量を高めたり、屋内空間Ｓｉ１における空調の負荷を低減したりすることができる。例えば、太陽電池モジュール４ｍにおける発電量の向上を優先する場合には、所定時間が経過する度に、スラット角度を所定の角度範囲で増減させ、太陽電池モジュール４ｍにおける発電量が最大となるようにスラット角度を調整する態様が考えられる。所定時間には、例えば、５分間から６０分間程度の時間が適用される。ここで、例えば、図５（ｂ）で示されるように、スラット３ｓの反射部３ｓｒを有する表面が水平面に沿って位置しているときのスラット角度を、基準角度の０度（０°）として、図５（ａ）および図５（ｃ）で示されるように、スラット３ｓの反射部３ｓｒを有する表面が、＋Ｚ方向を向いている状態から−Ｙ方向に向く方向に傾くときに、スラット角度が基準角度の０度（０°）から＋８５度（＋８５°）まで傾くことが可能である場合を想定する。この場合には、所定の角度範囲には、例えば、０度（０°）から＋８５度（＋８５°）の範囲が適用される。例えば、屋内空間Ｓｉ１での空調の負荷を低減する場合には、太陽電池モジュール４ｍとブラインド部３との間の空気を屋内空間Ｓｉ１側に流れにくくするために、ブラインド部３を閉状態としてもよい。
【００８０】
また、ここで、制御部２３は、例えば、第２駆動部３２によってスラット昇降用保持部３ｈ２を介して複数のスラット３ｓを昇降させることができる。例えば、図１および図１０で示されるように、複数のスラット３ｓを昇降させることができる。これにより、例えば、複数のスラット３ｓおよび複数の太陽電池モジュール４ｍを上昇させることで、屋内空間Ｓｉ１のうちの窓部を含む第１仕切り部６の近くの領域において直射光を採り入れることができる。
【００８１】
また、ここで、制御部２３は、例えば、第３駆動部４１によってモジュール回転用吊り下げ部としての第１吊り下げ用部分４ｈ１を介して複数の太陽電池モジュール４ｍのそれぞれを仮想的な第２回転軸を中心として回転させることができる。このため、例えば、制御部２３は、太陽電池装置１が設置された環境を示す各種の指標に応じて、モジュール角度を調整することができる。例えば、図１および図１１で示されるように、モジュール角度を調整することができる。これにより、例えば、季節および時刻などによる太陽の高度などの違いに応じて、太陽電池モジュール４ｍの角度を調整することで、太陽電池部４へ入射する太陽光の光量を増加させることができる。その結果、例えば、太陽電池装置１における発電量の向上を図ることができる。
【００８２】
ここでは、例えば、モジュール角度が、第１受光面Ｓ１が鉛直方向に沿った状態を基準の０度（０°）として、第１受光面Ｓ１が斜め上方に向くように４０度（４０°）程度まで調整することができる構成が考えられる。このような構成が採用されれば、例えば、那覇市において南中高度が約８７．４度である夏至であっても、第１受光面Ｓ１に対する太陽光の入射角度が、５０度（５０°）未満となる。これにより、例えば、第１受光面Ｓ１を構成するガラスなどの透明な部材の表面において太陽光が反射されにくく、太陽電池モジュール４ｍにおいて第１受光面Ｓ１に照射される太陽光のうちの光電変換に利用される光の割合が高まり得る。その結果、例えば、太陽電池装置１における発電量を高めることができる。また、例えば、モジュール角度が、第１受光面Ｓ１が鉛直方向に沿った状態を基準の０度（０°）として、第１受光面Ｓ１が上方に向くように９０度（９０°）程度まで調整することができてもよい。この場合には、例えば、第１受光面Ｓ１における太陽光の受光量が増加し、太陽電池装置１における発電量を高まり得る。
【００８３】
また、ここで、制御部２３は、例えば、第４駆動部４２によってモジュール昇降用吊り下げ部としての第２吊り下げ用部分４ｈ２を介して複数の太陽電池モジュール４ｍを昇降させることができる。例えば、図１１および図１２で示されるように、複数の太陽電池モジュール４ｍを昇降させることができる。このため、例えば、制御部２３は、太陽電池装置１が設置された環境を示す各種の指標に応じて、複数の太陽電池モジュール４ｍを昇降させることができる。これにより、例えば、季節および時刻などによる太陽の高度などの違いおよび建造物１００外の植栽などの影の状況などに応じて、太陽電池モジュール４ｍの上下方向における位置を調整することで、太陽電池部４へ入射する太陽光の光量を増加させることができる。その結果、例えば、太陽電池装置１における発電量の向上を図ることができる。また、例えば、屋外空間Ｓｏ１から太陽電池装置１を見たときに、太陽電池装置１において複数の太陽電池モジュール４ｍを昇降させることで、第１透明部材６ｔ越しに見える太陽電池装置１における上下の景色を適宜変更させることができる。
【００８４】
ここで、例えば、制御部２３は、ユーザの遠隔制御装置に対する手動の操作に応じて、スラット角度の調整、複数のスラット３ｓの昇降、モジュール角度の調整および複数の太陽電池モジュール４ｍの昇降などを実行してもよい。
【００８５】
また、例えば、制御部２３は、スラット角度の調整、複数のスラット３ｓの昇降、モジュール角度の調整および複数の太陽電池モジュール４ｍの昇降などを自動で実行してもよい。この場合には、例えば、制御部２３は、ユーザの遠隔制御装置の操作に応じて入力される各種の目標値に係る情報（第１情報ともいう）を、入力部２１を介して取得する。各種の目標値には、例えば、屋内空間Ｓｉ１の温度および照度の目標値が含まれる。制御部２３は、例えば、太陽電池装置１が設置された環境に係る各種の指標の情報（第２情報ともいう）を取得する。第２情報には、例えば、現在の太陽の方位および高度ならびに現在の気温または平均気温などの情報が含まれる。ここで、制御部２３は、例えば、第１情報と第２情報とに基づいて、スラット角度、複数のスラット３ｓの上下方向の位置、モジュール角度および複数の太陽電池モジュール４ｍの上下方向の位置の調整に係る指令値を算出する。このとき、例えば、屋内空間Ｓｉ１の温度および照度を目標値に近づけつつ、屋内空間Ｓｉ１の空調および照明における電力の消費量から太陽電池部４における発電量を減じた、建造物１００における消費電力量が最小化されるように、指令値が算出され得る。そして、制御部２３は、例えば、算出された指令値に応じて、第１駆動部３１、第２駆動部３２、第３駆動部４１および第４駆動部４２を制御することで、スラット角度の調整、複数のスラット３ｓの昇降、モジュール角度の調整および複数の太陽電池モジュール４ｍの昇降などを適宜実行する。このような構成が採用されば、例えば、太陽電池装置１を用いて建造物１００における消費電力量を低減する際に、ユーザが手動の操作などで環境に応じて太陽電池装置１を細かく調節する手間が削減され得る。
【００８６】
なお、上記では第３駆動部４１によってモジュール回転用吊り下げ部としての第１吊り下げ用部分４ｈ１を介して複数の太陽電池モジュール４ｍのそれぞれを仮想的な第２回転軸を中心として回転させ、第４駆動部４２によってモジュール昇降用吊り下げ部としての第２吊り下げ用部分４ｈ２を介して複数の太陽電池モジュール４ｍを昇降させる例を示したが、これに限られるものではない。例えば、第４駆動部４２によってモジュール回転用吊り下げ部としての第２吊り下げ用部分４ｈ２を介して複数の太陽電池モジュール４ｍを回転させてもよく、第３駆動部４１と第４駆動部４２とを連動させることによって太陽電池モジュール４ｍを回転させてもよい。
【００８７】
＜１−８．第１実施形態のまとめ＞
第１実施形態に係る太陽電池装置１では、例えば、太陽の高度などに合わせて、各スラット３ｓのスラット角度を調整することで、複数のスラット３ｓの反射部３ｓｒからの反射光が両面発電型の太陽電池モジュール４ｍの第２受光面Ｓ２に入射しやすくなる。これにより、例えば、太陽電池装置１における発電量を高めることができる。
【００８８】
また、例えば、第１透明部材６ｔに沿って位置するブラインド部３と第１透明部材６ｔとの間に太陽電池モジュール４ｍが位置している。このため、例えば、太陽電池モジュール４ｍが発する熱が、太陽電池モジュール４ｍと複数のスラット３ｓとの間の空気の層による断熱と、複数のスラット３ｓによる輻射熱の反射と、によって屋内空間Ｓｉ１に対して伝わりにくい。これにより、例えば、室温などの屋内空間Ｓｉ１の温度の上昇を低減して、夏季における屋内空間Ｓｉ１の空調の負荷を低減することができる。
【００８９】
＜２．他の実施形態＞
本開示は上述の第１実施形態に限定されるものではなく、本開示の要旨を逸脱しない範囲において種々の変更、改良などが可能である。
【００９０】
＜２−１．第２実施形態＞
上記第１実施形態において、例えば、第１透明部材６ｔを屋外空間Ｓｏ１側に位置する板ガラス（外ガラスともいう）とし、この外ガラスと、ブラインド部３および太陽電池部４を挟むように位置するインナーガラス（内ガラスともいう）とを設けてもよい。換言すれば、外ガラスと内ガラスとを有するダブルスキン構造の窓部のうちの外ガラスと内ガラスとの間に位置する中間層内に、ブラインド部３および太陽電池部４が位置していてもよい。外ガラスおよび内ガラスは、例えば、ガラス板以外の透明な部材であってもよい。
【００９１】
第２実施形態では、例えば、図１３で示されるように、建造物１００の一室における第１壁部Ｓｗ１と第２壁部Ｓｗ２との間において、建造物１００の屋内空間Ｓｉ１と屋外空間Ｓｏ１とを仕切る窓部としての役割を有する太陽電池システム１０が位置している。第１壁部Ｓｗ１および第２壁部Ｓｗ２には、例えば、＋Ｘ方向において対向する２つの側壁部が適用される。図１３の例では、第１壁部Ｓｗ１および第２壁部Ｓｗ２のそれぞれは、ＹＺ平面に沿った壁面を有する。別の観点から言えば、例えば、図１４で示されるように、建造物１００の一室における床部５ｆｌと天井部５ｓｅとの間において、建造物１００の屋内空間Ｓｉ１と屋外空間Ｓｏ１とを仕切る窓部としての役割を有する太陽電池システム１０が位置している。
【００９２】
ここで、図１３および図１４で示されるように、太陽電池システム１０は、例えば、太陽電池装置１と、第１仕切り部６と、第２仕切り部８と、を備えている。
【００９３】
第１仕切り部６は、例えば、上述したように、屋外空間Ｓｏ１と屋内空間Ｓｉ１とを仕切っている状態で位置している。図１３および図１４の例では、第１仕切り部６は、例えば、＋Ｘ方向に並んでいる状態で位置している平板状の３枚の第１透明部材６ｔと、３枚の第１透明部材６ｔのそれぞれの外周部を保持している状態で位置している枠体６ｆと、を有する。また、第１透明部材６ｔは、例えば、屋外空間Ｓｏ１側に位置する面（第１前面ともいう）６ｔｆと、屋内空間Ｓｉ１側に位置する面（第１裏面ともいう）６ｔｂと、を有する。図１３および図１４の例では、第１前面６ｔｆおよび第１裏面６ｔｂは、それぞれＸＺ平面に沿って位置している。
【００９４】
第２仕切り部８は、例えば、第１仕切り部６の屋内空間Ｓｉ１側において、第１仕切り部６との間に間隙（間隙空間ともいう）Ｓｐ１を挟んでいる状態で位置している。これにより、例えば、第２仕切り部８は、屋内空間Ｓｉ１と間隙空間Ｓｐ１とを仕切っている状態で位置している。これにより、屋内空間Ｓｉ１が、建造物１００のユーザが自由に利用可能な空間となる。図１３には、机および椅子などが配置される領域の一例の外縁が２点鎖線で描かれている。また、第２仕切り部８は、例えば、板状またはシート状の第２透明部材８ｔを含む。この第２透明部材８ｔは、例えば、屋外空間Ｓｏ１から第１透明部材６ｔと間隙空間Ｓｐ１とを通過した光を屋内空間Ｓｉ１に向けて透過させることができる。
【００９５】
第２実施形態では、第２仕切り部８は、例えば、＋Ｘ方向に並んでいる平板状の複数（ここでは３枚）の第２透明部材８ｔと、複数枚の第２透明部材８ｔのそれぞれの外周部を保持している状態で位置する枠体８ｆと、を有する。複数の第２透明部材８ｔのそれぞれは、例えば、間隙空間Ｓｐ１側に位置する面（第２前面ともいう）８ｔｆと、屋内空間Ｓｉ１側に位置する面（第２裏面ともいう）８ｔｂと、を有する。図１３および図１４の例では、第２前面８ｔｆおよび第２裏面８ｔｂは、それぞれＸＺ平面に沿って位置している。また、図１３および図１４の例では、＋Ｙ方向において、１枚の第１透明部材６ｔに１枚の第２透明部材８ｔが対向するように位置している。換言すれば、＋Ｙ方向において互いに対向している状態にある第１透明部材６ｔと第２透明部材８ｔとの組が３つ存在する。また、第２透明部材８ｔは、例えば、可視光線に対する透光性を有する。これにより、例えば、屋外空間Ｓｏ１から屋内空間Ｓｉ１への採光が可能となる。第２透明部材８ｔの素材には、例えば、ガラスあるいはアクリルまたはポリカーボネートなどの樹脂が適用される。
【００９６】
太陽電池装置１は、例えば、図１３で示されるように、第１仕切り部６と第２仕切り部８とで挟まれるように位置している。ここでは、図１４で示されるように、例えば、ブラインド部３および太陽電池部４が、第１仕切り部６と第２仕切り部８とで挟まれた状態にある間隙空間Ｓｐ１内に位置している。
【００９７】
ここで、例えば、床部５ｆｌに沿って位置する給気孔Ｖｓ１を介した屋外空間Ｓｏ１から間隙空間Ｓｐ１への給気、ならびに天井部５ｓｅに沿って位置する排気孔Ｖｅ１を介した間隙空間Ｓｐ１から屋外空間Ｓｏ１への排気、が行われる態様が考えられる。この場合には、屋外空間Ｓｏ１から間隙空間Ｓｐ１を介した屋外空間Ｓｏ１への空気の流れが生じ、屋外空間Ｓｏ１からの直射光による熱および太陽電池モジュール４ｍで生じる熱を、間隙空間Ｓｐ１から屋内空間Ｓｉ１へ流入させにくくすることができる。これにより、例えば、屋外空間Ｓｏ１と屋内空間Ｓｉ１との間における断熱効果が高まるため、夏季などにおいて屋内空間Ｓｉ１における室温の上昇を低減することができ、屋内空間Ｓｉ１に対する冷房負荷を低減することができる。ここで、例えば、屋外空間Ｓｏ１から間隙空間Ｓｐ１への給気の代わりに、床部５ｆｌに沿って位置する給気孔Ｖｓ２を介した屋内空間Ｓｉ１から間隙空間Ｓｐ１への給気によって、屋内空間Ｓｉ１において冷房などで冷やされた空気で太陽電池モジュール４ｍを冷却してもよい。その結果、例えば、太陽電池モジュール４ｍの光電変換効率が向上し得る。
【００９８】
また、ここで、例えば、床部５ｆｌに沿って位置する給気孔Ｖｓ２を介した屋内空間Ｓｉ１から間隙空間Ｓｐ１への給気、ならびに天井部５ｓｅに沿って位置する排気孔Ｖｅ２を介した間隙空間Ｓｐ１から屋内空間Ｓｉ１への排気、が行われる態様が考えられる。この場合には、屋内空間Ｓｉ１から間隙空間Ｓｐ１を介した屋内空間Ｓｉ１への空気の流れが生じ、屋外空間Ｓｏ１からの直射光による熱および太陽電池モジュール４ｍで生じる熱を、屋内空間Ｓｉ１に取り込みやすくすることができる。これにより、例えば、冬季などにおいて屋内空間Ｓｉ１における温度の低下を低減することができ、屋内空間Ｓｉ１に対する暖房負荷を低減することができる。給気孔Ｖｓ１，Ｖｓ２および排気孔Ｖｅ１，Ｖｅ２のそれぞれは、適宜開閉可能であってもよい。
【００９９】
以上のように、第２実施形態に係る太陽電池システム１０では、例えば、断熱などを行うためのダブルスキン構造の窓部において、屋外空間Ｓｏ１側の第１透明部材６ｔと屋内空間Ｓｉ１側の第２透明部材８ｔとの間の間隙空間Ｓｐ１に、ブラインド部３と太陽電池部４とを組み合わせた構成が位置している。これにより、例えば、太陽電池装置１における発電量の向上によって、建造物１００で使用される電力のうち、太陽電池部４による発電によって賄うことが可能である電力の割合を向上させることができる。その結果、例えば、エネルギーを自給自足し、化石燃料などから得られるエネルギー消費量がゼロあるいは概ねゼロとなる建築物であるネット・ゼロ・エネルギー・ビル（ＺＥＢ）などの実現が容易となり得る。
【０１００】
また、ここで、例えば、第２透明部材８ｔが、基材８ｔ１と、この基材８ｔ１に対して積層された状態で位置する基材８ｔ１よりも光の反射率が高い反射層８ｔ２と、を含むものであってもよい。ここでは、第２透明部材８ｔとして、例えば、基材８ｔ１にガラス板が適用され、反射層８ｔ２に赤外線を効率良く反射させる薄膜が適用された、低放射ガラス（Ｌｏｗ−Ｅガラスともいう）の部材などが採用され得る。低放射ガラスとしては、例えば、１０００ｎｍから２０００ｎｍの波長の範囲における光に対する反射率が、平均で２０％以上であり、２０００ｎｍ以上の波長の範囲における光に対する反射率が、平均で６０％以上である性質を有するものが採用され得る。赤外線を効率良く反射させる薄膜の素材には、例えば、酸化錫または銀などの素材が適用され得る。このような薄膜は、例えば、スパッタリング法などによって、ガラス板上に形成され得る。このとき、この薄膜の厚さは、例えば、１０ｎｍから４００ｎｍ程度に調整され得る。
【０１０１】
上記構成が採用されれば、例えば、太陽電池装置１において、第２仕切り部８による断熱性が高まるため、間隙空間Ｓｐ１から屋内空間Ｓｉ１に向けた熱の流入量が低減され得る。また、例えば、太陽電池部４よりも屋内空間Ｓｉ１側の第２透明部材８ｔに反射層８ｔ２が存在していれば、反射層８ｔ２で反射される太陽光が太陽電池モジュール４ｍの第２受光面Ｓ２に入射し得る。これにより、例えば、太陽電池モジュール４ｍの第２受光面Ｓ２に入射する太陽光の光量が増加し、太陽電池装置１における発電量が増加し得る。
【０１０２】
また、ここで、第２透明部材８ｔに適用される低放射ガラスの部材として、例えば、複数のガラス板の間に中間層または真空層を有する複層ガラスが採用されてもよい。この場合には、例えば、中間層または真空層の存在によって、第２透明部材８ｔにおける断熱性が高まり得る。また、ここで、例えば、屋内空間Ｓｉ１側のガラス板における中間層側に、赤外線を効率良く反射させる薄膜が位置していれば、第２透明部材８ｔにおける放射伝熱（輻射伝熱ともいう）による熱の移動量が低減される。このため、第２透明部材８ｔにおける断熱性が高まり得る。
【０１０３】
ところで、ここで、例えば、複数の太陽電池モジュール４ｍのモジュール角度が、第１受光面Ｓ１が鉛直方向に沿った状態を基準の０度（０°）として、第１受光面Ｓ１が斜め上方または上方に向くように約３０度（３０°）から約９０度（９０°）程度の値まで調整が可能であってもよい。この場合には、例えば、第１仕切り部６と第２仕切り部８との間隔を大きくして間隙空間Ｓｐ１を大きくすれば、モジュール角度を基準の０度（０°）からより大きな値となるように調整することができる。この場合には、例えば、屋外空間Ｓｏ１と屋内空間Ｓｉ１との間における断熱効果が大きく、屋内空間Ｓｉ１での空調効率が高まるとともに、太陽の高度に応じたモジュール角度の調整が可能であり、太陽電池モジュール４ｍにおける太陽光の入射量の増加によって太陽電池装置１における発電量が高まり得る。その一方で、例えば、第１仕切り部６と第２仕切り部８との間隔が狭い程、間隙空間Ｓｐ１が小さくなる。この場合には、例えば、ユーザが自由に使用可能な屋内空間Ｓｉ１が広くなり、屋内空間Ｓｉ１の有効活用が図られ得る。上記の相反する２つの観点を踏まえれば、例えば、モジュール角度が、第１受光面Ｓ１が鉛直方向に沿った状態を基準の０度（０°）として、第１受光面Ｓ１が斜め上方に向くように約３０度（３０°）から約４５度（４５°）程度の値まで調整され得る態様が考えられる。この場合には、例えば、太陽電池装置１における発電量を向上させつつ、ユーザが自由に使用可能な屋内空間Ｓｉ１がある程度確保され得る。
【０１０４】
第２実施形態では、第１仕切り部６は、例えば、１枚以上の第１透明部材６ｔを有していてもよいし、第２仕切り部８は、例えば、１枚以上の第２透明部材８ｔを有していてもよい。また、例えば、１枚の第１透明部材６ｔに複数枚の第２透明部材８ｔが対向するように位置していてもよいし、複数枚の第１透明部材６ｔに１枚の第２透明部材８ｔが対向するように位置していてもよい。
【０１０５】
＜２−２．第３実施形態＞
上記各実施形態において、太陽電池部４を構成する複数の太陽電池モジュール４ｍが、例えば、太陽電池モジュール４ｍごとに昇降可能であってもよい。
【０１０６】
ここで、例えば、図１５（ａ）および図１５（ｂ）で示されるように、複数の太陽電池モジュール４ｍが、第１太陽電池モジュール４ｍａ、第２太陽電池モジュール４ｍｂおよび第３太陽電池モジュール４ｍｃを含む場合を想定する。図１５（ａ）および図１５（ｂ）の例では、第１太陽電池モジュール４ｍａ、第２太陽電池モジュール４ｍｂおよび第３太陽電池モジュール４ｍｃは、この記載の順に第２方向（−Ｚ方向）に並んだ状態で位置している。ここでは、モジュール昇降用吊り下げ部としての第２吊り下げ用部分４ｈ２が、例えば、第１モジュール昇降用吊り下げ部分としての第２Ａ吊り下げ用部分４ｈ２ａと、第２モジュール昇降用吊り下げ部分としての第２Ｂ吊り下げ用部分４ｈ２ｂと、第３モジュール昇降用吊り下げ部分としての第２Ｃ吊り下げ用部分４ｈ２ｃと、を含む構成が考えられる。ここでは、第２Ａ吊り下げ用部分４ｈ２ａは、例えば、第１太陽電池モジュール４ｍａを基部２に近づける方向に移動させる動作と、第１太陽電池モジュール４ｍａを基部２から遠ざける方向に移動させる動作と、を実行させることができる。第２Ｂ吊り下げ用部分４ｈ２ｂは、例えば、第２太陽電池モジュール４ｍｂを基部２に近づける方向に移動させる動作と、第２太陽電池モジュール４ｍｂを基部２から遠ざける方向に移動させる動作と、を実行させることができる。第２Ｃ吊り下げ用部分４ｈ２ｃは、例えば、第３太陽電池モジュール４ｍｃを基部２に近づける方向に移動させる動作と、第３太陽電池モジュール４ｍｃを基部２から遠ざける方向に移動させる動作と、を実行させることができる。
【０１０７】
また、ここでは、モジュール昇降用機構２４２が、例えば、第３ＡドラムＤ３ａ、第３ＢドラムＤ３ｂおよび第３ＣドラムＤ３ｃを有する構成が考えられる。
【０１０８】
第３ＡドラムＤ３ａには、例えば、第１方向（＋Ｘ方向）に沿った仮想的な回転軸Ａｘ５ａを中心として回転可能な円筒状の部材が適用される。第３ＡドラムＤ３ａの外周部に、例えば、第２Ａ吊り下げ用部分４ｈ２ａとしての紐状、鎖状または帯状の細長部材が巻き付けられた状態にある。第２Ａ吊り下げ用部分４ｈ２ａは、例えば、第３ＡドラムＤ３ａの外周部から下方向に巻き出されているような状態で位置している。第２Ａ吊り下げ用部分４ｈ２ａは、例えば、第１太陽電池モジュール４ｍａの第２被吊り下げ部分Ｐ２である第２Ａ被吊り下げ部分Ｐ２ａに連結されている。ここで、例えば、第３ＡドラムＤ３ａが、仮想的な回転軸Ａｘ５ａを中心として回転して、第２Ａ吊り下げ用部分４ｈ２ａを巻き上げれば、第１太陽電池モジュール４ｍａの第２Ａ被吊り下げ部分Ｐ２ａが上方に引っ張り上げられる。このとき、例えば、第２Ａ被吊り下げ部分Ｐ２ａが上方向（＋Ｚ方向）に移動することで、第１太陽電池モジュール４ｍａが基部２に近づく方向に移動する。これにより、例えば、第１太陽電池モジュール４ｍａが上昇し得る。また、ここで、例えば、第３ＡドラムＤ３ａが、仮想的な回転軸Ａｘ５ａを中心として回転して、第２Ａ吊り下げ用部分４ｈ２ａを巻き出せば、第１太陽電池モジュール４ｍａの第２Ａ被吊り下げ部分Ｐ２ａが下方に移動する。このとき、例えば、第２Ａ被吊り下げ部分Ｐ２ａが下方向（−Ｚ方向）に移動することで、第１太陽電池モジュール４ｍａが基部２から遠ざかる方向に移動する。これにより、例えば、第１太陽電池モジュール４ｍａが下降し得る。
【０１０９】
第３ＢドラムＤ３ｂには、例えば、第１方向（＋Ｘ方向）に沿った仮想的な回転軸Ａｘ５ｂを中心として回転可能な円筒状の部材が適用される。第３ＢドラムＤ３ｂの外周部に、例えば、第２Ｂ吊り下げ用部分４ｈ２ｂとしての紐状、鎖状または帯状の細長部材が巻き付けられた状態にある。第２Ｂ吊り下げ用部分４ｈ２ｂは、例えば、第３ＢドラムＤ３ｂの外周部から下方向に巻き出されているような状態で位置している。第２Ｂ吊り下げ用部分４ｈ２ｂは、例えば、第２太陽電池モジュール４ｍｂの第２被吊り下げ部分Ｐ２である第２Ｂ被吊り下げ部分Ｐ２ｂに連結されている。ここで、例えば、第３ＢドラムＤ３ｂが、仮想的な回転軸Ａｘ５ｂを中心として回転して、第２Ｂ吊り下げ用部分４ｈ２ｂを巻き上げれば、第２太陽電池モジュール４ｍｂの第２Ｂ被吊り下げ部分Ｐ２ｂが上方に引っ張り上げられる。このとき、例えば、第２Ｂ被吊り下げ部分Ｐ２ｂが上方向（＋Ｚ方向）に移動することで、第２太陽電池モジュール４ｍｂが基部２に近づく方向に移動する。これにより、例えば、第２太陽電池モジュール４ｍｂが上昇し得る。また、ここで、例えば、第３ＢドラムＤ３ｂが、仮想的な回転軸Ａｘ５ｂを中心として回転して、第２Ｂ吊り下げ用部分４ｈ２ｂを巻き出せば、第２太陽電池モジュール４ｍｂの第２Ｂ被吊り下げ部分Ｐ２ｂが下方に移動する。このとき、例えば、第２Ｂ被吊り下げ部分Ｐ２ｂが下方向（−Ｚ方向）に移動することで、第２太陽電池モジュール４ｍｂが基部２から遠ざかる方向に移動する。これにより、例えば、第２太陽電池モジュール４ｍｂが下降し得る。
【０１１０】
第３ＣドラムＤ３ｃには、例えば、第１方向（＋Ｘ方向）に沿った仮想的な回転軸Ａｘ５ｃを中心として回転可能な円筒状の部材が適用される。第３ＣドラムＤ３ｃの外周部に、例えば、第２Ｃ吊り下げ用部分４ｈ２ｃとしての紐状、鎖状または帯状の細長部材が巻き付けられた状態にある。第２Ｃ吊り下げ用部分４ｈ２ｃは、例えば、第３ＣドラムＤ３ｃの外周部から下方向に巻き出されているような状態で位置している。第２Ｃ吊り下げ用部分４ｈ２ｃは、例えば、第３太陽電池モジュール４ｍｃの第２被吊り下げ部分Ｐ２である第２Ｃ被吊り下げ部分Ｐ２ｃに連結されている。ここで、例えば、第３ＣドラムＤ３ｃが、仮想的な回転軸Ａｘ５ｃを中心として回転して、第２Ｃ吊り下げ用部分４ｈ２ｃを巻き上げれば、第３太陽電池モジュール４ｍｃの第２Ｃ被吊り下げ部分Ｐ２ｃが上方に引っ張り上げられる。このとき、例えば、第２Ｃ被吊り下げ部分Ｐ２ｃが上方向（＋Ｚ方向）に移動することで、第３太陽電池モジュール４ｍｃが基部２に近づく方向に移動する。これにより、例えば、第３太陽電池モジュール４ｍｃが上昇し得る。また、ここで、例えば、第３ＣドラムＤ３ｃが、仮想的な回転軸Ａｘ５ｃを中心として回転して、第２Ｃ吊り下げ用部分４ｈ２ｃを巻き出せば、第３太陽電池モジュール４ｍｃの第２Ｃ被吊り下げ部分Ｐ２ｃが下方に移動する。このとき、例えば、第２Ｃ被吊り下げ部分Ｐ２ｃが下方向（−Ｚ方向）に移動することで、第３太陽電池モジュール４ｍｃが基部２から遠ざかる方向に移動する。これにより、例えば、第３太陽電池モジュール４ｍｃが下降し得る。
【０１１１】
ここで、例えば、第１太陽電池モジュール４ｍａと第２太陽電池モジュール４ｍｂと第３太陽電池モジュール４ｍｃとを別々に昇降させれば、複数の太陽電池モジュール４ｍのうちの第２方向（−Ｚ方向）で隣り合う太陽電池モジュール４ｍの間の間隔ｄ１が変更され得る。より具体的には、例えば、図１５（ａ）および図１５（ｂ）で示されるように、第１太陽電池モジュール４ｍａと第２太陽電池モジュール４ｍｂとを別々に昇降させれば、第１太陽電池モジュール４ｍａと第２太陽電池モジュール４ｍｂとの間の間隔ｄ１ａが変更され得る。また、例えば、第２太陽電池モジュール４ｍｂと第３太陽電池モジュール４ｍｃとを別々に昇降させれば、第２太陽電池モジュール４ｍｂと第３太陽電池モジュール４ｍｃとの間の間隔ｄ１ｂが変更され得る。ここでは、例えば、第２方向（−Ｚ方向）で隣り合う太陽電池モジュール４ｍの間の間隔ｄ１を大きくすれば、複数のスラット３ｓで反射されて太陽電池モジュール４ｍの第２受光面Ｓ２に入射する太陽光の光量が増加し得る。これにより、例えば、太陽電池装置１における発電量が増加し得る。また、例えば、第２方向（−Ｚ方向）で隣り合う太陽電池モジュール４ｍの間の間隔ｄ１を小さくしつつ太陽電池部４を上方に移動させれば、屋内空間Ｓｉ１のうちの窓部を含む第１仕切り部６の近くの領域を、直射光の採り入れによって明るくすることができる。また、例えば、第２方向（−Ｚ方向）で隣り合う太陽電池モジュール４ｍの間の間隔ｄ１を大きくすれば、屋内空間Ｓｉ１の広い範囲に太陽光が入射され得る。これにより、例えば、屋内空間Ｓｉ１への太陽光の入射状態を適宜調整することで、屋内空間Ｓｉ１における照明装置の負荷の低減を図ることができる。このようにして、例えば、太陽電池部４および屋内空間Ｓｉ１へ入射する太陽光の光量を調整することができる。その結果、例えば、太陽電池装置１における発電量の向上および屋内空間Ｓｉ１における照明装置の負荷の低減を図ることができる。
【０１１２】
また、ここでは、モジュール回転用機構２４１が、例えば、複数の太陽電池モジュール４ｍのうちの太陽電池モジュール４ｍごとに、太陽電池モジュール４ｍを傾動させるための第２ドラムＤ２を有していてもよい。
【０１１３】
また、ここでは、複数の太陽電池モジュール４ｍは、例えば、第１太陽電池モジュール４ｍａおよび第２太陽電池モジュール４ｍｂを有し、第３太陽電池モジュール４ｍｃを有していなくてもよい。この場合には、例えば、モジュール昇降用機構２４２が、例えば、第３ＡドラムＤ３ａおよび第３ＢドラムＤ３ｂを有し、第３ＣドラムＤ３ｃを有していなくてもよい。第２吊り下げ用部分４ｈ２は、例えば、第２Ａ吊り下げ用部分４ｈ２ａおよび第２Ｂ吊り下げ用部分４ｈ２ｂを有し、第２Ｃ吊り下げ用部分４ｈ２ｃを有していなくてもよい。
【０１１４】
また、ここでは、第３ＡドラムＤ３ａによる第２Ａ吊り下げ用部分４ｈ２ａの巻き上げおよび巻き出し、第３ＢドラムＤ３ｂによる第２Ｂ吊り下げ用部分４ｈ２ｂの巻き上げおよび巻き出し、ならびに第３ＣドラムＤ３ｃによる第２Ｃ吊り下げ用部分４ｈ２ｃの巻き上げおよび巻き出しを行う代わりに、例えば、１つの第３ドラムＤ３の相互に径が異なる外周部において、第２Ａ吊り下げ用部分４ｈ２ａの巻き上げおよび巻き出し、第２Ｂ吊り下げ用部分４ｈ２ｂの巻き上げおよび巻き出し、第２Ｃ吊り下げ用部分４ｈ２ｃの巻き上げおよび巻き出し、が行われてもよい。この場合にも、例えば、第１太陽電池モジュール４ｍａと第２太陽電池モジュール４ｍｂとの間の間隔ｄ１ａ、および第２太陽電池モジュール４ｍｂと第３太陽電池モジュール４ｍｃとの間の間隔ｄ１ｂ、が変更され得る。
【０１１５】
また、ここでは、複数の太陽電池モジュール４ｍが、例えば、２枚ごとなどの複数枚の太陽電池モジュール４ｍごとに第２吊り下げ用部分４ｈ２としての紐状、鎖状または帯状の細長部材によって吊り下げられてもよい。
【０１１６】
また、ここでは、複数の太陽電池モジュール４ｍを上昇させた際に、例えば、間隔ｄ１が０となってもよいし、第２方向（−Ｚ方向）において隣り合う太陽電池モジュール４ｍが、第２方向（−Ｚ方向）において互いに重なり合う区間を有していてもよい。
【０１１７】
＜２−３．第４実施形態＞
上記各実施形態において、例えば、基部２が、第３方向（−Ｙ方向）および第４方向（＋Ｙ方向）において移動可能であってもよい。この場合には、例えば、図１６で示されるように、太陽電池装置１が、この太陽電池装置１が取り付けられる対象の部分（取り付け対象部ともいう）に取り付けられる部分（取付部ともいう）９を有していてもよい。そして、取付部９は、例えば、第３方向（−Ｙ方向）および第４方向（＋Ｙ方向）に基部２を移動可能に保持している状態で位置していてもよい。
【０１１８】
このような構成が採用されれば、例えば、図１７（ａ）で示されるように、取付部９に対して基部２を第３方向（−Ｙ方向）に移動させることで、ブラインド部３および太陽電池部４を第３方向（−Ｙ方向）に移動させることができる。また、例えば、図１７（ｂ）で示されるように、取付部９に対して基部２を第４方向（＋Ｙ方向）に移動させることで、ブラインド部３および太陽電池部４を第４方向（＋Ｙ方向）に移動させることができる。これにより、例えば、基部２から吊り下げられた状態にあるブラインド部３および太陽電池部４を、第１仕切り部６に接近する第３方向（−Ｙ方向）および第１仕切り部６から離れる第４方向（＋Ｙ方向）に移動させることが可能となる。その結果、例えば、第１仕切り部６の第１透明部材６ｔ、ブラインド部３および太陽電池部４の清掃および保守点検などのメンテナンスが容易となる。
【０１１９】
ところで、例えば、図１８で示されるように、複数の太陽電池モジュール４ｍの最も上方に位置する太陽電池モジュール４ｍの第１受光面Ｓ１の最上部Ｐｕ０と天井部５ｓｅとの距離（第１距離ともいう）をＬ１とし、第３方向（−Ｙ方向）における最上部Ｐｕ０と庇部５ｆｒの先端部Ｐｅ０との距離（第２距離ともいう）をＬ２とし、太陽の南中高度をθｘとする。最も上方に位置する太陽電池モジュール４ｍの第１受光面Ｓ１の全面が受光するためには、式（１）の関係が成立し得る。
【０１２０】
Ｌ１≧Ｌ２／ｔａｎ（９０−θｘ）  ・・・（１）
【０１２１】
ここでは、例えば、夏季などでは、南中高度θｘが大きくなるため、太陽から太陽電池モジュール４ｍの第１受光面Ｓ１に向かう太陽光７ｂｍが庇部５ｆｒによって遮られないように、第１距離Ｌ１を大きくするか、第２距離Ｌ２を短くすることが考えられる。第４実施形態では、例えば、南中高度θｘまたは太陽の高度に合わせて、取付部９に対して第３方向（−Ｙ方向）に基部２を移動させることで、第２距離Ｌ２を短くすることができる。これにより、例えば、太陽電池装置１における発電量を向上させることができる。
【０１２２】
図１６、図１７（ａ）および図１７（ｂ）の例では、取り付け対象部は、天井部５ｓｅである。取付部９は、金具などの各種の部材を用いた締結または接着剤などを用いた接着などによって天井部５ｓｅに取り付けられて固定された状態とされ得る。また、取付部９は、例えば、下面側に、基部２を第３方向（−Ｙ方向）および第４方向（＋Ｙ方向）に移動可能に保持するための１つ以上の部分（保持用部分ともいう）９ｒｌを有する。保持用部分９ｒｌには、例えば、第３方向（−Ｙ方向）に伸びるように位置しているレール状の部分（レール状部分ともいう）が適用される。レール状部分には、例えば、第３方向（−Ｙ方向）に伸びるように位置している四角筒状の部材の下部に、第３方向（−Ｙ方向）に伸びるように位置している細長いスリットが存在しているものが適用される。また、基部２は、例えば、上面側に、保持用部分９ｒｌによって保持される１つ以上の部分（被保持部分ともいう）２ｈｇを有する。被保持部分２ｈｇには、例えば、軸部と、ローラ部と、を有する１つ以上の部分（ハンガー部ともいう）が適用され得る。軸部は、例えば、基部２の上面から上方向（＋Ｚ方向）にレール状部材の細長いスリットを貫通するように突出している状態で位置している。ローラ部は、例えば、第１方向（＋Ｘ方向）に伸びる仮想的な回転軸を中心として回転自在に軸部に取り付けられており、かつレール状部分の内面に引っ掛けられた状態で走行可能である。
【０１２３】
より具体的には、例えば、取付部９の保持用部分９ｒｌとしてのレール状部分の構造には、カーテンレールのような構造が適用され、基部２の被保持部分２ｈｇの構造には、カーテンレールの長手方向に走行可能な状態でカーテンレールに引っ掛けられた状態で位置しているランナーのような構造が適用される。
【０１２４】
ここでは、例えば、第１方向（＋Ｘ方向）において相互に離れて略平行に位置している２本以上の保持用部分９ｒｌが存在し、被保持部分２ｈｇが、各保持用部分９ｒ１に対して、第３方向（＋Ｙ方向）において相互に離れて位置している２つ以上のハンガー部を有する構成が考えられる。このような構成が採用されれば、取付部９に対して、基部２が、第３方向（−Ｙ方向）および第４方向（＋Ｙ方向）に安定して移動することができる。
【０１２５】
ところで、取付部９に対する基部２の第３方向（−Ｙ方向）および第４方向（＋Ｙ方向）の移動は、手動で行われてもよいし、自動で行われてもよい。ここで、取付部９に対する基部２の移動量は、例えば、ラック・アンド・ピニオンの歯車の機構などを用いて制御され得る。例えば、取付部９に設けられた第３方向（−Ｙ方向）に沿って位置するラックと、基部２に回転自在に設けられたピニオンと、を掛かり合わせた状態で、制御部２３によって、モータなどの駆動部によるピニオンの回転量が制御されることで、取付部９に対する基部２の移動量が制御され得る。
【０１２６】
＜２−４．第５実施形態＞
上記各実施形態において、例えば、ブラインド部３は、複数の縦長のスラット３ｓを有する縦型のブラインドであってもよい。この場合には、例えば、図１９で示されるように、複数のスラット３ｓのそれぞれが、第２方向（−Ｚ方向）に沿った長手方向を有するとともに、第１方向（＋Ｘ方向）に並んでいる状態で位置している。また、例えば、複数のスラット３ｓを基部２から第２方向（−Ｚ方向）に吊り下げるように位置する第１吊り下げ部３ｈが、複数のスラット３ｓをそれぞれの長手方向（−Ｚ方向）に沿った仮想的な回転軸（第１回転軸）を中心として回転可能に保持している状態で位置する複数のスラット回転用保持部３ｈ１を含む。ここで、スラット回転用保持部３ｈ１には、例えば、一般的な縦型のブラインドで使用されている、スラット３ｓごとにスラット３ｓを吊り下げている状態で位置しているフックが適用される。
【０１２７】
ここでは、基部２の下部２ｂ内には、例えば、図２０（ａ）から図２０（ｄ）で示されるように、複数のキャリアＣａ１が、第１方向（＋Ｘ方向）および第１方向とは逆の第５方向（−Ｘ方向）に移動可能な状態で位置している。複数のキャリアＣａ１のうちの第１方向（＋Ｘ方向）の先頭にあるキャリアＣａ１がマスタキャリアＣａ０となっている。各キャリアＣａ１には、スラット回転用保持部３ｈ１としてのフックを介してスラット３ｓが吊下げられた状態で位置している。また、マスタキャリアＣａ０と、それ以外の複数のキャリアＣａ１とは、連結部によって決まる所定間隔を最大間隔として離間または接近が可能な状態で、マスタキャリアＣａ０を先頭として連結された状態にある。
【０１２８】
基部２の下部２ｂ内には、例えば、スラット回転用機構２３１が位置しているとともに、スラット昇降用機構２３２の代わりにスラット移動用機構２３３が位置している。スラット回転用機構２３１は、例えば、複数のスラット３ｓのそれぞれを回転させることが可能な機構である。スラット移動用機構２３３は、例えば、複数のキャリアＣａ１の移動によって複数のスラット３ｓを第１方向（＋Ｘ方向）および第５方向（−Ｘ方向）に移動させることが可能な機構である。これらの機構には、例えば、公知の任意の機構を適用することができる。
【０１２９】
第５実施形態では、例えば、図２０（ａ）から図２０（ｄ）で示されるように、スラット移動用機構２３３は、第１ロッドＬｄ１と、第１モータＭｏ１と、を有する。第１ロッドＬｄ１は、例えば、第１方向（＋Ｘ方向）に沿った仮想的な中心軸を中心として回転可能に支持された状態にある。第１モータＭｏ１は、例えば、第１ロッドＬｄ１の長手方向の一端部に連結されて第１ロッドＬｄ１を順方向に回転させることが可能である。第１ロッドＬｄ１は、外周面に雄ネジを有する。マスタキャリアＣａ０には、第１ロッドＬｄ１の雄ネジに組み合わされた雌ネジを有する。ここで、例えば、第１モータＭｏ１で第１ロッドＬｄ１を回転させると、第１ロッドＬｄ１に組み合わされたマスタキャリアＣａ０が、基部２内を第１方向（＋Ｘ方向）に移動する。このとき、連結部によって後続のキャリアＣａ１が牽引されて次々と第１方向（＋Ｘ方向）に移動する。これにより、図２０（ａ）および図２０（ｂ）で示されるように、複数のスラット３ｓが展張された状態（展張状態ともいう）となる。一方、第１モータＭｏ１で第１ロッドＬｄ１が逆方向に回転されると、第１ロッドＬｄ１の雄ネジに組み合わされた雌ネジを有するマスタキャリアＣａ０が、基部２内を第５方向（−Ｘ方向）に移動する。このとき、例えば、マスタキャリアＣａ０が、後続のキャリアＣａ１に接近し、後続のキャリアＣａ１を順に第５方向（−Ｘ方向）に押すことで、複数のキャリアＣａ１にそれぞれ吊下げられたスラット３ｓが第５方向（−Ｘ方向）に移動する。これにより、図２０（ｃ）および図２０（ｄ）で示されるように、複数のスラット３ｓが畳み込まれた状態（畳み込み状態ともいう）となる。
【０１３０】
また、第５実施形態では、例えば、図２１（ａ）から図２１（ｄ）で示されるように、スラット回転用機構２３１は、第２ロッドＬｄ２と、第２モータＭｏ２と、を有する。第２ロッドＬｄ２は、例えば、第１方向（＋Ｘ方向）に沿った仮想的な中心軸を中心として回転可能に支持された状態にある。第２モータＭｏ２は、例えば、第２ロッドＬｄ２の長手方向の一端部に連結されて第２ロッドＬｄ２を回転させることが可能である。各キャリアＣａ１は、第２ロッドＬｄ２と噛み合う回転伝達機構を有する。回転伝達機構は、第２ロッドＬｄ２の回転をスラット回転用保持部としてのフックに伝達する。ここで、第２モータＭｏ２で第２ロッドＬｄ２を回転させると、図２１（ａ）から図２１（ｄ）で示されるように、回転伝達機構によって、スラット回転用保持部３ｈ１としてのフックが長手方向（−Ｚ方向）に沿った第１回転軸を中心として回転する。これにより、各スラット３ｓが長手方向（−Ｚ方向）に沿った第１回転軸を中心として回転する。このとき、例えば、太陽が存在している方位などに合わせて、複数の縦長のスラット３ｓの角度（スラット角度）を調整することで、両面発電型の太陽電池モジュール４ｍの第２受光面Ｓ２に入射される複数の縦長のスラット３ｓからの反射光の光量を増加させることができる。その結果、例えば、太陽電池装置１における発電量を高めることができる。
【０１３１】
ところで、第５実施形態では、図１９で示されるように、太陽電池部４は、例えば、第１方向（＋Ｘ方向）において相互に離れた状態で並んでいる、複数（ここでは３つ）の太陽電池モジュール４ｍを含む。換言すれば、例えば、ＸＺ平面に沿った仮想的な鉛直面に対して垂直な方向（＋Ｙ方向）に、複数の太陽電池モジュール４ｍを平面視した場合に、第１方向（＋Ｘ方向）において太陽電池モジュール４ｍの間に間隙が存在している。これにより、例えば、図２１（ｂ）から図２１（ｄ）で示されるように、複数の太陽電池モジュール４ｍの間の隙間を通過した太陽光７ｂｍが複数の縦長のスラット３ｓで反射されて、太陽電池モジュール４ｍの第２受光面Ｓ２に入射される。また、例えば、太陽電池モジュール４ｍにおける第１受光面Ｓ１および第２受光面Ｓ２のそれぞれが、第２方向（−Ｚ方向）に沿った長手方向を有する矩形状の形状をする。換言すれば、複数の太陽電池モジュール４ｍのそれぞれが、鉛直方向に沿った長手方向を有する太陽電池モジュール（縦長の太陽電池モジュールともいう）である。この場合には、例えば、第２受光面Ｓ２の広い範囲において、縦長のスラット３ｓで反射された反射光の第２受光面Ｓ２に対する入射角度が低減され得る。これにより、例えば、複数の縦長のスラット３ｓからの反射光が、第２受光面Ｓ２を構成するガラスまたはフィルムなどの透明な部材の表面で反射されにくく、太陽電池モジュール４ｍに照射される太陽光のうち、太陽電池モジュール４ｍで光電変換に利用される光の割合が高まり得る。その結果、例えば、太陽電池装置１における発電量を高めることができる。
【０１３２】
図１９の例では、第２吊り下げ部４ｈは、１つの太陽電池モジュール４ｍごとに、太陽電池モジュール４ｍを基部２から第２方向（−Ｚ方向）に吊り下げるように位置している。第２吊り下げ部４ｈには、例えば、第２方向（−Ｚ方向）に沿った仮想的な回転軸を中心として回転可能なロッドが適用され得る。これにより、例えば、各太陽電池モジュール４ｍが第２方向（−Ｚ方向）に沿った仮想的な回転軸を中心として回転し得る。
【０１３３】
＜３．その他の実施形態＞
上記各実施形態において、複数の太陽電池モジュール４ｍは、例えば、床部５ｆｌ側から支持されていてもよいし、基部２と床部５ｆｌとの間に架設されるように位置している複数本の柱状の部材の間に保持されていてもよい。ここでは、例えば、複数本の柱状の部材に沿って太陽電池モジュール４ｍを手動または自動で上下に移動させることが可能であるような種々の構成の移動機構が採用されてもよい。また、例えば、複数本の柱状の部材に対して第１方向（＋Ｘ方向）に沿った回転軸を中心として太陽電池モジュール４ｍを回動させて第１透明部材６ｔおよび第２透明部材８ｔに対して太陽電池モジュール４ｍを傾斜させることが可能であるような他の構成の傾斜機構が存在していてもよい。
【０１３４】
上記各実施形態において、例えば、モジュール角度を変更することができなくてもよい。例えば、鉛直面に対して、太陽電池モジュール４ｍの第１受光面Ｓ１が、略平行な状態または第１受光面Ｓ１が斜め上方を向くように所定角度だけ傾斜している状態に維持されてもよい。
【０１３５】
上記各実施形態において、例えば、モジュール昇降用機構２４２には、例えば、基部２側に位置している第１プーリーと、床部５ｆｌ側に位置している第２プーリーと、の間に環状に掛け渡されている細長い環状体を有する構成などの他の構成が適用されてもよい。ここでは、例えば、環状体が太陽電池モジュール４ｍを保持していれば、第１プーリーおよび第２プーリーの回転に応じて、太陽電池モジュール４ｍを保持している環状体が循環するように移動することで、太陽電池モジュール４ｍが上下に移動してもよい。
【０１３６】
上記各実施形態において、例えば、モジュール昇降用機構２４２が存在していなくてもよい。
【０１３７】
上記各実施形態において、太陽電池部４は、例えば、複数の太陽電池モジュール４ｍの代わりに、１つ以上の太陽電池モジュール４ｍを有していてもよい。
【０１３８】
上記各実施形態において、例えば、第１仕切り部６が、鉛直方向に沿って位置することなく、鉛直方向に対して傾いていてもよい。
【０１３９】
上記各実施形態および各種変形例をそれぞれ構成する全部または一部を、適宜、矛盾しない範囲で組み合わせ可能であることは、言うまでもない。
【符号の説明】
【０１４０】
１  太陽電池装置
２  基部
３  ブラインド部
３ｈ  第１吊り下げ部
３ｈ１  スラット回転用保持部
３ｈ２  スラット昇降用保持部
３ｓ  スラット
３ｓｒ  反射部
４  太陽電池部
４ｈ  第２吊り下げ部
４ｈ１  第１吊り下げ用部分
４ｈ２  第２吊り下げ用部分
４ｍ  太陽電池モジュール
６  第１仕切り部
６ｔ  第１透明部材
８  第２仕切り部
８ｔ  第２透明部材
８ｔ１  基材
８ｔ２  反射層
９  取付部
１０  太陽電池システム
２３  制御部
３１  第１駆動部
３２  第２駆動部
４１  第３駆動部
４２  第４駆動部
Ａｘ１〜Ａｘ５，Ａｘ５ａ，Ａｘ５ｂ，Ａｘ５ｃ  回転軸
Ｓ１  第１受光面
Ｓ２  第２受光面
Ｓｉ１  屋内空間
Ｓｏ１  屋外空間
Ｓｐ１  間隙空間
【図１】
2020133322.tif 000003
【図２】
2020133322.tif 000004
【図３】
2020133322.tif 000005
【図４】
2020133322.tif 000006
【図５】
2020133322.tif 000007
【図６】
2020133322.tif 000008
【図７】
2020133322.tif 000009
【図８】
2020133322.tif 000010
【図９】
2020133322.tif 000011
【図１０】
2020133322.tif 000012
【図１１】
2020133322.tif 000013
【図１２】
2020133322.tif 000014
【図１３】
2020133322.tif 000015
【図１４】
2020133322.tif 000016
【図１５】
2020133322.tif 000017
【図１６】
2020133322.tif 000018
【図１７】
2020133322.tif 000019
【図１８】
2020133322.tif 000020
【図１９】
2020133322.tif 000021
【図２０】
2020133322.tif 000022
【図２１】
2020133322.tif 000023